(57)【要約】【課題】スリットランプ顕微鏡を効果的に利用可能な眼科遠隔医療技術を提供する。【解決手段】実施形態の眼科システムは、スリットランプ顕微鏡、３次元画像形成部、レンダリング部、表示制御部、レポート作成部、及びレポート出力部を含む。スリットランプ顕微鏡は、被検眼の前眼部を撮影して正面画像を取得する正面画像取得部と、スリット光で前眼部を撮影して複数の画像を収集する画像収集部とを含む。３次元画像形成部は、複数の画像に基づいて３次元画像を形成する。レンダリング部は、３次元画像をレンダリングしてレンダリング画像を形成する。表示制御部は、正面画像とレンダリング画像とを表示手段に表示させる。レポート作成部は、表示制御部により表示された情報に関するレポートを作成するためのユーザーインターフェイスを含む。レポート出力部は、作成されたレポートを出力する。【選択図】図１
2019154825.tif 000002
【特許請求の範囲】
【請求項１】
被検眼の前眼部を撮影して正面画像を取得する正面画像取得部と、スリット光で前記前眼部を撮影して複数の画像を収集する画像収集部とを含むスリットランプ顕微鏡と、
前記複数の画像に基づいて３次元画像を形成する３次元画像形成部と、
前記３次元画像をレンダリングしてレンダリング画像を形成するレンダリング部と、
前記正面画像と前記レンダリング画像とを表示手段に表示させる表示制御部と、
前記表示制御部により表示された情報に関するレポートを作成するためのユーザーインターフェイスを含むレポート作成部と、
前記レポートを出力するレポート出力部と
を含む、眼科システム。
【請求項２】
通信路を介して前記スリットランプ顕微鏡に接続されたサーバと、通信路を介して前記サーバに接続された情報処理装置とを含み、
前記サーバは、
予め設定された被検者識別情報に関連付けられた前記３次元画像と前記正面画像とを記憶する記憶部と、
少なくとも前記３次元画像と前記正面画像とを前記情報処理装置に送信する通信部と
を含み、
前記情報処理装置は、
前記サーバから送信された少なくとも前記３次元画像及び前記正面画像を受信する通信部と、
前記レンダリング部、前記表示制御部、及び前記レポート作成部と
を含み、
前記情報処理装置の前記通信部は、前記レポート作成部により作成された前記レポートを前記サーバに向けて送信し、
前記サーバの前記通信部は、前記情報処理装置から送信された前記レポートを受信し、且つ、前記レポートの少なくとも一部を前記スリットランプ顕微鏡が設置された施設に向けて送信し、
前記レポート出力部は、前記スリットランプ顕微鏡が設置された前記施設に配置されている、
ことを特徴とする請求項１に記載の眼科システム。
【請求項３】
前記レンダリング部は、前記３次元画像中の角膜表面領域及び角膜裏面領域の少なくとも一方を特定する
ことを特徴とする請求項１又は２に記載の眼科システム。
【請求項４】
前記レンダリング部は、少なくとも前記角膜表面領域を特定し、
前記角膜表面領域を解析して角膜曲率半径を求める第１解析部を更に含み、
前記レポート作成部は、前記角膜曲率半径及びこれに基づく情報の少なくとも一方を含むレポートを作成する
ことを特徴とする請求項３に記載の眼科システム。
【請求項５】
前記レンダリング部は、少なくとも前記角膜表面領域を特定し、
前記角膜表面領域を解析して角膜曲率半径分布を求め、予め設定された標準分布からの前記角膜曲率半径分布の偏差を表す偏差分布を求める第２解析部を更に含み、
前記レポート作成部は、前記偏差分布及びこれに基づく情報の少なくとも一方を含むレポートを作成する
ことを特徴とする請求項３に記載の眼科システム。
【請求項６】
前記表示制御部は、前記偏差分布を前記表示手段に表示させる
ことを特徴とする請求項５に記載の眼科システム。
【請求項７】
前記正面画像と前記３次元画像との間のレジストレーションを行うレジストレーション部を更に含み、
前記ユーザーインターフェイスは、前記正面画像中の注目領域を指定するために使用され、
前記レンダリング部は、前記注目領域に対応する前記３次元画像の部分領域を前記レジストレーションの結果に基づき特定し、前記部分領域に対応するレンダリング画像を形成する
ことを特徴とする請求項１〜６のいずれかに記載の眼科システム。
【請求項８】
前記表示制御部は、前記部分領域に対応する前記レンダリング画像と前記正面画像とを前記表示手段に表示させ、且つ、前記レンダリング画像に対応する領域を表す画像を前記正面画像上に表示させる
ことを特徴とする請求項７に記載の眼科システム。
【請求項９】
前記レンダリング部は、前記３次元画像から立体画像を形成し、
前記表示制御部は、前記立体画像を前記表示手段に表示させ、
前記ユーザーインターフェイスは、前記表示手段に表示されている前記立体画像を操作するために使用される
ことを特徴とする請求項１〜８のいずれかに記載の眼科システム。
【請求項１０】
前記レンダリング部は、前記３次元画像中の水晶体領域を特定し、
前記水晶体領域を解析して混濁分布を求める第３解析部を更に含み、
前記レポート作成部は、前記混濁分布及びこれに基づく情報の少なくとも一方を含むレポートを作成する
ことを特徴とする請求項１〜９のいずれかに記載の眼科システム。
【請求項１１】
前記表示制御部は、前記混濁分布を前記表示手段に表示させる
ことを特徴とする請求項１０に記載の眼科システム。
【請求項１２】
前記画像収集部は、
前記被検眼をスリット光で照明する照明系と、
前記被検眼からの前記スリット光の戻り光を第１撮像装置に導く撮影系と、
前記照明系及び前記撮影系を移動する移動部と
を含み、
前記３次元画像形成部は、前記照明系及び前記撮影系を移動しつつ前記第１撮像装置により取得された複数の断面画像に基づいて３次元画像を形成する
ことを特徴とする請求項１〜１１のいずれかに記載の眼科システム。
【請求項１３】
前記画像収集部は、前記照明系のフォーカス位置及び前記撮影系のフォーカス位置の少なくとも一方を変更するためのフォーカス位置変更部を更に含み、
前記３次元画像形成部は、前記照明系及び前記撮影系の少なくとも一方の移動と前記照明系のフォーカス位置及び前記撮影系のフォーカス位置の少なくとも一方の変更とを行いつつ前記第１撮像装置により取得された複数の断面画像に基づいて３次元画像を形成する
ことを特徴とする請求項１２に記載の眼科システム。
【請求項１４】
前記スリットランプ顕微鏡の動作モードを指定するための動作モード指定部を更に含み、
前記スリットランプ顕微鏡は、制御部を更に含み、
前記動作モード指定部により３次元撮影モードが指定されたとき、前記制御部は、前記照明系と前記撮影系と前記移動部と前記フォーカス位置変更部とを連係的に制御することにより前記複数の断面画像を前記第１撮像装置に取得させる
ことを特徴とする請求項１３に記載の眼科システム。
【請求項１５】
前記正面画像取得部は、前記第１撮像装置と異なる第２撮像装置を含む
ことを特徴とする請求項１２〜１４のいずれかに記載の眼科システム。
【請求項１６】
前記第１撮像装置による前記複数の断面画像の収集と並行して、前記第２撮像装置は、前記前眼部の動画撮影を行う
ことを特徴とする請求項１５に記載の眼科システム。
【請求項１７】
スリットランプ顕微鏡で被検眼の前眼部を撮影して取得された３次元画像及び正面画像を通信路を介して受け付ける通信部と、
前記３次元画像をレンダリングしてレンダリング画像を形成するレンダリング部と、
前記正面画像と前記レンダリング画像とを表示手段に表示させる表示制御部と、
前記表示制御部により表示された情報に関するレポートを作成するためのユーザーインターフェイスを含むレポート作成部と
を含み、
前記通信部は、前記レポートを送信する
ことを特徴とする眼科情報処理装置。
【請求項１８】
スリットランプ顕微鏡で被検眼の前眼部を撮影して取得された３次元画像及び正面画像を通信路を介して受け付けるステップと、
前記３次元画像をレンダリングしてレンダリング画像を形成するステップと、
前記正面画像と前記レンダリング画像とを表示するステップと、
ユーザーからの入力を受け付けるステップと、
表示された情報に関するレポートを前記ユーザーからの入力に基づき作成するステップと、
前記レポートを送信するステップと
を、コンピュータに実行させるプログラム。
【請求項１９】
請求項１８に記載のプログラムを記録したコンピュータ可読な非一時的記録媒体。
【発明の詳細な説明】
【技術分野】
【０００１】
本発明は、眼科システム、眼科情報処理装置、プログラム、及び記録媒体に関する。
【背景技術】
【０００２】
眼科分野において画像診断は重要な位置を占める。画像診断では、各種の眼科撮影装置が用いられる。眼科撮影装置には、スリットランプ顕微鏡、眼底カメラ、走査型レーザー検眼鏡（ＳＬＯ）、光干渉断層計（ＯＣＴ）などがある。また、レフラクトメータ、ケラトメータ、眼圧計、スペキュラーマイクロスコープ、ウェーブフロントアナライザ、マイクロペリメータなどの各種の眼科撮影装置にも、前眼部や眼底を撮影する機能が搭載されている。
【０００３】
これら様々な眼科装置のうち最も広く且つ頻繁に使用される装置の一つがスリットランプ顕微鏡である。スリットランプ顕微鏡は、スリット光で被検眼を照明し、照明された断面を側方から顕微鏡で観察したり撮影したりするための眼科装置である。角膜や水晶体など前眼部の診断には、一般的にスリットランプ顕微鏡が用いられる。例えば、医師は、スリット光による照明野やフォーカス位置を移動させつつ診断部位全体を観察して異常の有無を判断する。また、コンタクトレンズのフィッティング状態の確認など、視力補正器具の処方において、スリットランプ顕微鏡が用いられることもある。
【０００４】
ところで、近年の情報通信技術の進歩を受けて、遠隔医療技術に関する研究開発が発展を見せている。遠隔医療とは、インターネット等の情報技術を利用して、遠隔地に居る患者に対して診療を行う行為である。特許文献３、４には医療装置を遠隔地から操作するための技術が開示されており、特に特許文献４にはスリットランプ顕微鏡を遠隔地から操作するための技術が開示されている。
【先行技術文献】
【特許文献】
【０００５】
【特許文献１】特開２０１６−１５９０７３号公報
【特許文献２】特開２０１６−１７９００４号公報
【特許文献３】特開２０００−１１６７３２号公報
【特許文献４】特開２００８−２８４２７３号公報
【発明の概要】
【発明が解決しようとする課題】
【０００６】
本発明の目的は、スリットランプ顕微鏡を効果的に利用することが可能な眼科遠隔医療技術を提供することにある。
【課題を解決するための手段】
【０００７】
例示的な実施形態の第１の態様は、被検眼の前眼部を撮影して正面画像を取得する正面画像取得部と、スリット光で前記前眼部を撮影して複数の画像を収集する画像収集部とを含むスリットランプ顕微鏡と、前記複数の画像に基づいて３次元画像を形成する３次元画像形成部と、前記３次元画像をレンダリングしてレンダリング画像を形成するレンダリング部と、前記正面画像と前記レンダリング画像とを表示手段に表示させる表示制御部と、前記表示制御部により表示された情報に関するレポートを作成するためのユーザーインターフェイスを含むレポート作成部と、前記レポートを出力するレポート出力部とを含む、眼科システムである。
【０００８】
例示的な実施形態の第２の態様は、第１の態様の眼科システムであって、通信路を介して前記スリットランプ顕微鏡に接続されたサーバと、通信路を介して前記サーバに接続された情報処理装置とを含む。前記サーバは、予め設定された被検者識別情報に関連付けられた前記３次元画像と前記正面画像とを記憶する記憶部と、少なくとも前記３次元画像と前記正面画像とを前記情報処理装置に送信する通信部とを含む。前記情報処理装置は、前記サーバから送信された少なくとも前記３次元画像及び前記正面画像を受信する通信部と、前記レンダリング部、前記表示制御部、及び前記レポート作成部とを含む。前記情報処理装置の前記通信部は、前記レポート作成部により作成された前記レポートを前記サーバに向けて送信する。前記サーバの前記通信部は、前記情報処理装置から送信された前記レポートを受信し、且つ、前記レポートの少なくとも一部を前記スリットランプ顕微鏡が設置された施設に向けて送信する。前記レポート出力部は、前記スリットランプ顕微鏡が設置された前記施設に配置されている。
【０００９】
例示的な実施形態の第３の態様は、第１又は第２の態様の眼科システムであって、前記レンダリング部は、前記３次元画像中の角膜表面領域及び角膜裏面領域の少なくとも一方を特定する。
【００１０】
例示的な実施形態の第４の態様は、第３の態様の眼科システムであって、前記レンダリング部は、少なくとも前記角膜表面領域を特定し、前記角膜表面領域を解析して角膜曲率半径を求める第１解析部を更に含み、前記レポート作成部は、前記角膜曲率半径及びこれに基づく情報の少なくとも一方を含むレポートを作成する。
【００１１】
例示的な実施形態の第５の態様は、第３の態様の眼科システムであって、前記レンダリング部は、少なくとも前記角膜表面領域を特定し、前記角膜表面領域を解析して角膜曲率半径分布を求め、予め設定された標準分布からの前記角膜曲率半径分布の偏差を表す偏差分布を求める第２解析部を更に含み、前記レポート作成部は、前記偏差分布及びこれに基づく情報の少なくとも一方を含むレポートを作成する。
【００１２】
例示的な実施形態の第６の態様は、第５の態様の眼科システムであって、前記表示制御部は、前記偏差分布を前記表示手段に表示させる。
【００１３】
例示的な実施形態の第７の態様は、第１〜第６の態様のいずれかの眼科システムであって、前記正面画像と前記３次元画像との間のレジストレーションを行うレジストレーション部を更に含み、前記ユーザーインターフェイスは、前記正面画像中の注目領域を指定するために使用され、前記レンダリング部は、前記注目領域に対応する前記３次元画像の部分領域を前記レジストレーションの結果に基づき特定し、前記部分領域に対応するレンダリング画像を形成する。
【００１４】
例示的な実施形態の第８の態様は第７の態様の眼科システムであって、前記表示制御部は、前記部分領域に対応する前記レンダリング画像と前記正面画像とを前記表示手段に表示させ、且つ、前記レンダリング画像に対応する領域を表す画像を前記正面画像上に表示させる。
【００１５】
例示的な実施形態の第９の態様は、第１〜第８の態様のいずれかの眼科システムであって、前記レンダリング部は、前記３次元画像から立体画像を形成し、前記表示制御部は、前記立体画像を前記表示手段に表示させ、前記ユーザーインターフェイスは、前記表示手段に表示されている前記立体画像を操作するために使用される。
【００１６】
例示的な実施形態の第１０の態様は、第１〜第９の態様のいずれかの眼科システムであって、前記レンダリング部は、前記３次元画像中の水晶体領域を特定し、前記水晶体領域を解析して混濁分布を求める第３解析部を更に含み、前記レポート作成部は、前記混濁分布及びこれに基づく情報の少なくとも一方を含むレポートを作成する。
【００１７】
例示的な実施形態の第１１の態様は、第１０の態様の眼科システムであって、前記表示制御部は、前記混濁分布を前記表示手段に表示させる。
【００１８】
例示的な実施形態の第１２の態様は、第１〜第１１の態様のいずれかの眼科システムであって、前記画像収集部は、前記被検眼をスリット光で照明する照明系と、前記被検眼からの前記スリット光の戻り光を第１撮像装置に導く撮影系と、前記照明系及び前記撮影系を移動する移動部とを含み、前記３次元画像形成部は、前記照明系及び前記撮影系を移動しつつ前記第１撮像装置により取得された複数の断面画像に基づいて３次元画像を形成する。
【００１９】
例示的な実施形態の第１３の態様は、第１２の態様の眼科システムであって、前記画像収集部は、前記照明系のフォーカス位置及び前記撮影系のフォーカス位置の少なくとも一方を変更するためのフォーカス位置変更部を更に含み、前記３次元画像形成部は、前記照明系及び前記撮影系の少なくとも一方の移動と前記照明系のフォーカス位置及び前記撮影系のフォーカス位置の少なくとも一方の変更とを行いつつ前記第１撮像装置により取得された複数の断面画像に基づいて３次元画像を形成する。
【００２０】
例示的な実施形態の第１４の態様は、第１３の態様の眼科システムであって、前記スリットランプ顕微鏡の動作モードを指定するための動作モード指定部を更に含み、前記スリットランプ顕微鏡は、制御部を更に含み、前記動作モード指定部により３次元撮影モードが指定されたとき、前記制御部は、前記照明系と前記撮影系と前記移動部と前記フォーカス位置変更部とを連係的に制御することにより前記複数の断面画像を前記第１撮像装置に取得させる。
【００２１】
例示的な実施形態の第１５の態様は、第１２〜第１４の態様のいずれかの眼科システムであって、前記正面画像取得部は、前記第１撮像装置と異なる第２撮像装置を含む。
【００２２】
例示的な実施形態の第１６の態様は、第１５の態様の眼科システムであって、前記第１撮像装置による前記複数の断面画像の収集と並行して、前記第２撮像装置は、前記前眼部の動画撮影を行う。
【００２３】
例示的な実施形態の第１７の態様は、スリットランプ顕微鏡で被検眼の前眼部を撮影して取得された３次元画像及び正面画像を通信路を介して受け付ける通信部と、前記３次元画像をレンダリングしてレンダリング画像を形成するレンダリング部と、前記正面画像と前記レンダリング画像とを表示手段に表示させる表示制御部と、前記表示制御部により表示された情報に関するレポートを作成するためのユーザーインターフェイスを含むレポート作成部とを含み、前記通信部は、前記レポートを送信することを特徴とする眼科情報処理装置である。
【００２４】
例示的な実施形態の第１８の態様は、スリットランプ顕微鏡で被検眼の前眼部を撮影して取得された３次元画像及び正面画像を通信路を介して受け付けるステップと、前記３次元画像をレンダリングしてレンダリング画像を形成するステップと、前記正面画像と前記レンダリング画像とを表示するステップと、ユーザーからの入力を受け付けるステップと、表示された情報に関するレポートを前記ユーザーからの入力に基づき作成するステップと、前記レポートを送信するステップとを、コンピュータに実行させるプログラムである。
【００２５】
例示的な実施形態の第１９の態様は、第１８の態様のプログラムを記録したコンピュータ可読な非一時的記録媒体である。
【発明の効果】
【００２６】
実施形態によれば、スリットランプ顕微鏡を効果的に利用することが可能な眼科遠隔医療技術を提供することができる。
【図面の簡単な説明】
【００２７】
【図１】例示的な実施形態に係る眼科システムの構成の一例を表す概略図である。
【図２】例示的な実施形態に係る眼科システムの構成の一例を表す概略図である。
【図３】例示的な実施形態に係る眼科システムの構成の一例を表す概略図である。
【図４】例示的な実施形態に係る眼科システムの構成の一例を表す概略図である。
【図５】例示的な実施形態に係る眼科システムの動作の一例を説明するための概略図である。
【図６】例示的な実施形態に係る眼科システムの動作の一例を説明するための概略図である。
【図７】例示的な実施形態に係る眼科システムの構成の一例を表す概略図である。
【図８】例示的な実施形態に係る眼科システムの構成の一例を表す概略図である。
【図９Ａ】例示的な実施形態に係る眼科システムの使用形態の一例を表すフローチャートである。
【図９Ｂ】例示的な実施形態に係る眼科システムの使用形態の一例を表すフローチャートである。
【図９Ｃ】例示的な実施形態に係る眼科システムの使用形態の一例を表すフローチャートである。
【図９Ｄ】例示的な実施形態に係る眼科システムの使用形態の一例を表すフローチャートである。
【図９Ｅ】例示的な実施形態に係る眼科システムの使用形態の一例を表すフローチャートである。
【発明を実施するための形態】
【００２８】
例示的な実施形態に係る眼科システム、眼科情報処理装置、プログラム、及び記録媒体について、図面を参照しながら詳細に説明する。なお、引用文献に開示された事項などの任意の公知技術を実施形態に組み合わせることができる。
【００２９】
実施形態の眼科システムは、例えば、各種の施設に設置された眼科撮影装置や、可搬型の眼科撮影装置を用いた遠隔医療に用いられる。実施形態に係る遠隔医療では、少なくとも、眼科撮影装置により取得された医用画像の読影を、この眼科撮影装置が設置された施設から離れた遠隔地において行う者が行う。この読影者は、典型的には、医師やオプトメトリストなどの専門家である。読影者は、読影を行うことで被検眼に関するレポートを作成する。実施形態に係る遠隔医療において、眼科撮影装置が設置された施設にて検査をアシストする者（補助者）が関与してもよい。
【００３０】
眼科撮影装置が設置される施設の例として、眼鏡店、医療機関、健康診断会場、検診会場、患者の自宅、福祉施設、公共施設、検診車などがある。
【００３１】
眼科撮影装置は、被検眼の撮影に用いられる任意の装置であってよく、少なくともスリットランプ顕微鏡としての機能を有する。眼科システムに含まれる複数の眼科撮影装置のいずれかは、スリットランプ顕微鏡と異なる撮影機能（例えば、眼底カメラ、ＳＬＯ、ＯＣＴなどの眼科モダリティ）を含んでいてもよい。更に、眼科撮影装置は、測定データや撮影画像を解析するためのアプリケーションを備えていてもよい。
【００３２】
実施形態の眼科システムは、被検眼の特性を測定するための眼科測定装置を更に含んでいてもよい。眼科測定装置の例として、視力検査装置（視標呈示装置、フォロプタ等）、眼屈折検査装置（レフラクトメータ、ケラトメータ等）、眼圧計、スペキュラーマイクロスコープ、ウェーブフロントアナライザ、視野計、マイクロペリメータなどがある。
【００３３】
〈眼科システム〉
実施形態に係る眼科システムの構成の例を説明する。図１に例示された眼科システム１０００は、眼科撮影が行われるＮ個の施設（第１施設〜第Ｎ施設）のそれぞれと、管理サーバ４０００と、遠隔端末５０００ｍとを結ぶ通信路（通信回線）１１００を利用して構築されている。
【００３４】
各施設（第ｎ施設：ｎ＝１〜Ｎ、Ｎは１以上の整数）には、眼科撮影装置２０００−ｉｎ（ｉｎ＝１〜Ｋｎ、Ｋｎは１以上の整数）が設置されている。つまり、各施設（第ｎ施設）には、１以上の眼科撮影装置２０００−ｉｎが設置されている。眼科撮影装置２０００−ｉｎは、眼科システム１０００の一部を構成する。なお、眼科以外の検査を実施可能な検査装置が眼科システム１０００に含まれていてもよい。
【００３５】
本例の眼科撮影装置２０００−ｉｎは、被検眼の撮影を実施する「撮影装置」としての機能と、各種データ処理や外部装置との通信を行う「コンピュータ」としての機能の双方を備えている。他の例において、撮影装置とコンピュータとを別々に設けることが可能である。この場合、撮影装置とコンピュータとは互いに通信可能に構成されてよい。更に、撮影装置の数とコンピュータの数とはそれぞれ任意であり、例えば単一のコンピュータと複数の撮影装置とを設けることができる。
【００３６】
更に、各施設（第ｎ施設）には、補助者や被検者により使用される情報処理装置（端末３０００−ｎ）が設置されている。端末３０００−ｎは、当該施設において使用されるコンピュータであり、例えば、タブレット端末やスマートフォン等のモバイル端末、当該施設に設置されたサーバなどであってよい。更に、端末３０００−ｎは、無線型イヤフォン等のウェアラブルデバイスを含んでいてもよい。なお、端末３０００−ｎは、当該施設においてその機能を使用可能なコンピュータであれば十分であり、例えば、当該施設の外に設置されたコンピュータ（クラウドサーバ等）であってもよい。
【００３７】
眼科撮影装置２０００−ｉｎと端末３０００−ｎとは、第ｎ施設内に構築されたネットワーク（施設内ＬＡＮ等）や、広域ネットワーク（インターネット等）や、近距離通信技術を利用して通信を行えるように構成されてよい。
【００３８】
眼科撮影装置２０００−ｉｎは、サーバ等の通信機器としての機能を備えていてよい。この場合、眼科撮影装置２０００−ｉｎと端末３０００−ｎとが直接に通信を行うように構成することができる。これにより、管理サーバ４０００と端末３０００−ｎとの間の通信を眼科撮影装置２０００−ｉｎを介して行うことができるので、端末３０００−ｎと管理サーバ４０００との間で通信を行う機能を設ける必要がなくなる。
【００３９】
管理サーバ４０００は、第１〜第Ｎ施設のいずれとも異なる施設に設置され、例えば管理センタに設置されている。管理サーバ４０００は、ネットワーク（ＬＡＮ、広域ネットワーク等）を介して、遠隔端末５０００ｍ（ｍ＝１〜Ｍ、Ｍは１以上の整数）と通信が可能である。更に、管理サーバ４０００は、第１〜第Ｎ施設に設置された眼科撮影装置２０００−ｉｎの少なくとも一部と広域ネットワークを介して通信が可能である。
【００４０】
管理サーバ４０００は、例えば、眼科撮影装置２０００−ｉｎと遠隔端末５０００ｍとの間の通信を中継する機能と、この通信の内容を記録する機能と、眼科撮影装置２０００−ｉｎにより取得されたデータや情報を記憶する機能と、遠隔端末５０００ｍにより取得されたデータや情報を記憶する機能とを備える。また、管理サーバ４０００は、データ処理機能を備えてもよい。例えば、管理サーバ４０００は、眼科撮影装置２０００−ｉｎ（スリットランプ顕微鏡）により取得された複数の断面画像から３次元画像を形成する処理を実行するための３次元画像形成部（プロセッサ、コンピュータプログラムなどを含む）を含んでいてよい。
【００４１】
遠隔端末５０００ｍは、眼科撮影装置２０００−ｉｎによって取得された被検眼の画像の読影とレポート作成とに使用可能なコンピュータを含む。
【００４２】
本実施形態において、「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムやデータを読み出し実行することで、実施形態に係る機能を実現することができる。
【００４３】
〈眼科撮影装置の構成〉
眼科撮影装置２０００−ｉｎの構成について説明する。前述したように、眼科撮影装置２０００−ｉｎはスリットランプ顕微鏡としての機能を有する。本例では、特に言及しない限り、眼科撮影装置２０００−ｉｎはスリットランプ顕微鏡である。
【００４４】
ここで、以下のように方向を表すことがある。スリットランプ顕微鏡の光学系が被検眼の正面（ニュートラル位置）に配置されているときに、光学系における最も被検眼側に位置するレンズ（対物レンズ）から被検眼に向かう方向を前方向（又は、深さ方向、奥行き方向、Ｚ方向）とし、その逆方向を後方向（−Ｚ方向）とする。また、Ｚ方向に直交する水平方向を左右方向（又は、横方向、±Ｘ方向）とする。更に、Ｚ方向とＸ方向の双方に直交する方向を上下方向（又は、縦方向、±Ｙ方向）とする。ＸＹＺ座標系は、例えば右手系（又は、左手系）として定義される。
【００４５】
また、スリットランプ顕微鏡の観察撮影系は少なくとも水平方向に回動可能であるので、観察撮影系の光軸（観察撮影光軸）に沿う方向である動径方向をｒ１方向とし、回転方向をθ１方向とする。同様に、スリットランプ顕微鏡の照明系は回動可能であるので、照明系の光軸（照明光軸）に沿う方向である動径方向をｒ２方向とし、回転方向をθ２方向とする。例えば、動径方向の正方向は、対物レンズから被検眼に向かう方向であり、回転方向の正方向は、上方から見たときの反時計回り方向である。回転方向は、例えば、Ｚ方向を基準として定義される（つまり、Ｚ方向が回転角度０度として定義される）。観察撮影系がニュートラル位置に配置されているとき（つまり、θ１＝０度のとき）、ｒ１方向はＺ方向に一致する。同様に、照明系がニュートラル位置に配置されているとき（つまり、θ２＝０度のとき）、ｒ２方向はＺ方向に一致する。照明系及び観察撮影系の少なくとも一方は、上下方向に回動可能であってもよい。この場合においても動径方向や回転方向が同様に定義される。
【００４６】
例示的なスリットランプ顕微鏡の外観構成を図２に示す。スリットランプ顕微鏡１には、コンピュータ１００が接続されている。コンピュータ１００は、各種の制御処理や演算処理を行う。顕微鏡本体（光学系等を格納する筐体）とは別にコンピュータ１００を設ける代わりに、顕微鏡本体に同様のコンピュータを搭載した構成を適用することも可能である。コンピュータ１００の少なくとも一部と、前述した端末３０００−ｎの少なくとも一部とが共通であってもよい。
【００４７】
スリットランプ顕微鏡１はテーブル２上に載置される。基台４は、例えば、移動機構部３を介して３次元的に移動可能に構成されている。基台４は、操作ハンドル５を傾倒操作することにより移動される。或いは、移動機構部３は、アクチュエータを含む。
【００４８】
基台４の上面には、観察撮影系６及び照明系８を支持する支持部１５が設けられている。支持部１５には、観察撮影系６を支持する支持アーム１６が左右方向に回動可能に取り付けられている。支持アーム１６の上部には、照明系８を支持する支持アーム１７が左右方向に回動可能に取り付けられている。支持アーム１６及び１７は、それぞれ独立に且つ互いに同軸で回動可能とされている。
【００４９】
観察撮影系６は、支持アーム１６を回動させることで移動される。照明系８は、支持アーム１７を回動させることで移動される。支持アーム１６及び１７のそれぞれは、電気的な機構によって回動される。移動機構部３には、支持アーム１６を回動させるための機構と、支持アーム１７を回動させるための機構とが設けられている。なお、支持アーム１６を手動で回動させることによって観察撮影系６を移動することもできる。同様に、支持アーム１７を手動で回動させることによって照明系８を移動することもできる。
【００５０】
照明系８は、被検眼Ｅに照明光を照射する。前述のように、照明系８を左右方向に回動することができる。更に、照明系８を上下方向に回動できるように構成されてもよい。つまり、照明系８の仰角や俯角を変更できるように構成されていてもよい。このような照明系８のスイング動作により、被検眼Ｅに対する照明光の投射方向が変更される。
【００５１】
観察撮影系６は、被検眼Ｅに投射された照明光の戻り光を案内する左右一対の光学系を有する。この光学系は鏡筒本体９内に収納されている。鏡筒本体９の終端は接眼部９ａである。検者は接眼部９ａをのぞき込むことで被検眼Ｅを観察する。前述のように、支持アーム１６を回動させることにより鏡筒本体９を左右方向に回動させることができる。更に、観察撮影系６を上下方向に回動できるように構成されてもよい。つまり、観察撮影系６の仰角や俯角を変更できるように構成されていてもよい。このような観察撮影系６のスイング動作により、被検眼Ｅを撮影する方向を変更することができる。
【００５２】
鏡筒本体９に対峙する位置には顎受け台１０が配置されている。顎受け台１０には、被検者の顔を安定配置させるための顎受部１０ａと額当て１０ｂが設けられている。
【００５３】
鏡筒本体９の側面には、倍率を変更するための倍率操作ノブ１１が配置されている。更に、鏡筒本体９には、被検眼Ｅを撮影するための撮像装置１３が接続されている。撮像装置１３は撮像素子を含む。撮像素子は、光を検出して画像信号（電気信号）を出力する光電変換素子である。画像信号はコンピュータ１００に入力される。撮像素子としては、例えば、ＣＣＤ（Ｃｈａｒｇｅ  Ｃｏｕｐｌｅｄ  Ｄｅｖｉｃｅ）イメージセンサ、又は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。
【００５４】
照明系８の下方位置には、照明系８から出力される照明光束を被検眼Ｅに向けて反射するミラー１２が配置されている。
【００５５】
図２では省略されているが、ミラー１２の近傍（例えば、ミラー１２の下方位置又は上方位置）には、被検眼Ｅの前眼部を正面から撮影するための前眼部カメラ７０が設けられている（図３及び図４を参照）。前眼部カメラ７０は、固定的に配置されているか、或いは、観察撮影系６や照明系８の移動とは独立に移動可能とされている。前眼部カメラ７０は、例えば、動画撮影が可能なビデオカメラである。前眼部カメラ７０は１以上の任意の個数設けられてよい。
【００５６】
前眼部カメラ７０で撮影を行うための照明光を前眼部に投射する前眼部照明光源が設けられていてもよい。前眼部照明光源は、例えば、赤外光源又は可視光源であってよい。前眼部照明光源は、例えば、前眼部カメラ７０の近傍（例えば、前眼部カメラ７０の下方位置、上方位置、又は側方位置）に配置されている。前眼部照明光源は１以上の任意の個数設けられてよい。
【００５７】
〈光学系の構成〉
スリットランプ顕微鏡１の光学系の構成例を図３に示す。前述したように、スリットランプ顕微鏡１は、観察撮影系６と照明系８とを備えている。
【００５８】
〈観察撮影系６〉
観察撮影系６は左右一対の光学系を備えている。左右の光学系は、ほぼ同様の構成を有する。検者は、この左右の光学系により被検眼Ｅを双眼で観察することができる。なお、図３には、観察撮影系６の左右の光学系の一方のみが示されている。観察撮影系６は、左右の光学系の一方のみを備えていてもよい。符号Ｏ１は、観察撮影系６の光軸を示す。
【００５９】
観察撮影系６の左右の光学系のそれぞれは、対物レンズ３１、変倍光学系３２、ビームスプリッタ３４、結像レンズ３５、プリズム３６、及び接眼レンズ３７を含む。ここで、ビームスプリッタ３４は、左右の光学系の一方又は双方に設けられる。接眼レンズ３７は、接眼部９ａ内に設けられている。符号Ｐは、接眼レンズ３７に導かれる光の結像位置を示す。符号Ｅｃは被検眼Ｅの角膜を示す。符号Ｅｏは検者眼を示す。
【００６０】
変倍光学系３２は、複数（例えば３枚）の変倍レンズ３２ａ、３２ｂ、３２ｃを含む。本実施形態では、観察撮影系６の光路に対して選択的に挿入可能な複数の変倍レンズ群が設けられている。これら変倍レンズ群は、それぞれ異なる倍率に対応する。観察撮影系６の光路に配置された変倍レンズ群が変倍光学系３２として用いられる。このような変倍レンズ群の選択的な挿入により、被検眼Ｅの観察像や撮影画像の倍率（画角）を変更することができる。倍率の変更、つまり観察撮影系６の光路に配置される変倍レンズ群の切り替えは、倍率操作ノブ１１を操作することにより行われる。また、図示しないスイッチ等を用いて電動で倍率を変更することもできる。
【００６１】
ビームスプリッタ３４は、光軸Ｏ１に沿って進む光の光路を、光軸Ｏ１の延長上に位置する光路と、光軸Ｏ１に対して直交する光路とに分割する。光軸Ｏ１の延長上に位置する光路に入射した光は、結像レンズ３５、プリズム３６及び接眼レンズ３７を介して検者眼Ｅｏに導かれる。プリズム３６は、光の進行方向を上方に平行移動させる。
【００６２】
一方、光軸Ｏ１に対して直交する光路に入射した光は、集光レンズ４１及びミラー４２を介して、撮像装置１３の撮像素子４３に導かれる。すなわち、観察撮影系６は、被検眼Ｅからの戻り光を撮像装置１３に導く。撮像素子４３は、この戻り光を検出して画像信号ＧＳを生成する。
【００６３】
観察撮影系６は、そのフォーカス位置を変更するための合焦機構４０を含む。合焦機構４０は、光軸Ｏ１に沿って対物レンズ３１を移動させる。例えば、合焦機構４０は、対物レンズ３１を保持する保持部材と、この保持部材を光軸Ｏ１の方向に移動させるスライド機構と、駆動力を発生するアクチュエータと、この駆動力をスライド機構に伝達する部材とを含む。
【００６４】
対物レンズ３１の移動は、自動及び／又は手動で行われる。自動で対物レンズ３１を移動する場合、例えば、コンピュータ１００は、公知のフォーカス調整手法（例えば、位相差検出方式、コントラスト検出方式など）を用いて、被検眼Ｅからの戻り光に基づきフォーカス位置を求めることができる。更に、コンピュータ１００は、求められたフォーカス位置まで対物レンズ３１を光軸Ｏ１に沿って移動するようにアクチュエータを制御することができる。一方、手動で対物レンズ３１を移動する場合、ユーザーによる操作に応じてアクチュエータが対物レンズ３１を光軸Ｏ１に沿って移動させる。
【００６５】
なお、観察撮影系６は、対物レンズ３１と撮像素子４３との間の光軸Ｏ１上の位置に配置された第１合焦レンズを含んでもよい。この場合、合焦機構４０は、第１合焦レンズを光軸Ｏ１に沿って移動させることによって観察撮影系６のフォーカス位置を変更する。例えば、合焦機構４０は、第１合焦レンズを保持する保持部材と、この保持部材を光軸Ｏ１の方向に移動させるスライド機構と、駆動力を発生するアクチュエータと、この駆動力をスライド機構に伝達する部材とを含む。対物レンズ３１を移動させる場合と同様に、合焦機構４０による第１合焦レンズの移動は、自動又は手動で行われる。
【００６６】
また、観察撮影系６の全体（又は一部）が光軸Ｏ１に沿って移動可能に構成されていてもよい。この場合、合焦機構４０は、観察撮影系６の全体を光軸Ｏ１に沿って移動させることによって、観察撮影系６のフォーカス位置を変更する。例えば、合焦機構４０は、観察撮影系６が搭載された可動ステージと、この可動ステージを光軸Ｏ１の方向に移動させるスライド機構と、駆動力を発生するアクチュエータと、この駆動力をスライド機構に伝達する部材とを含む。対物レンズ３１を移動させる場合と同様に、合焦機構４０による観察撮影系６の移動は、自動又は手動で行われる。
【００６７】
〈照明系８〉
照明系８は、照明光源５１、集光レンズ５２、スリット形成部５３、及び対物レンズ５４を含む。符号Ｏ２は、照明系８の光軸を示す。
【００６８】
照明光源５１は照明光を出力する。なお、照明系８に複数の光源を設けてもよい。例えば、定常光を出力する光源（例えば、ハロゲンランプ、発光ダイオード（ＬＥＤ）等）と、フラッシュ光を出力する光源（例えば、キセノンランプ、ＬＥＤ等）の双方を照明光源５１として設けることができる。また、前眼部観察用の光源と後眼部観察用の光源とを別々に設けてもよい。例えば、照明光源５１は、可視光を出力する可視光源を含む。照明光源５１は、赤外光（例えば、中心波長が８００ｎｍ〜１０００ｎｍの光）を出力する赤外光源を含んでもよい。
【００６９】
スリット形成部５３は、スリット光を生成するために用いられる。スリット形成部５３は、一対のスリット刃を有する。これらスリット刃の間隔（スリット幅）を変更することにより、生成されるスリット光の幅を変更することができる。
【００７０】
照明系８は、スリット光のフォーカス位置を変更するための合焦機構５０を含む。合焦機構５０は、対物レンズ５４を光軸Ｏ２に沿って移動させる。例えば、合焦機構５０は、対物レンズ５４を保持する保持部材と、この保持部材を光軸Ｏ１の方向に移動させるスライド機構と、駆動力を発生するアクチュエータと、この駆動力をスライド機構に伝達する部材とを含む。
【００７１】
対物レンズ５４の移動は、自動及び／又は手動で行われる。自動で対物レンズ５４を移動する場合、例えば、コンピュータ１００は、被検眼Ｅからの戻り光に基づく像が描出された画像を解析することによってフォーカス位置を求めることができる。更に、コンピュータ１００は、求められたフォーカス位置まで対物レンズ５４を光軸Ｏ２に沿って移動するようにアクチュエータを制御することができる。一方、手動で対物レンズ５４を移動する場合には、ユーザーによる操作に応じてアクチュエータが対物レンズ５４を光軸Ｏ２に沿って移動させる。
【００７２】
なお、照明系８は、対物レンズ５４とスリット形成部５３との間の光軸Ｏ２上の位置に配置された第２合焦レンズを含んでもよい。この場合、合焦機構５０は、第２合焦レンズを光軸Ｏ２に沿って移動させることによって、スリット光のフォーカス位置を変更する。例えば、合焦機構５０は、第２合焦レンズを保持する保持部材と、この保持部材を光軸Ｏ２の方向に移動させるスライド機構と、駆動力を発生するアクチュエータと、この駆動力をスライド機構に伝達する部材とを含む。対物レンズ５４を移動させる場合と同様に、合焦機構５０による第２合焦レンズの移動は、自動又は手動で行われる。
【００７３】
また、照明系８の全体（又は一部）が光軸Ｏ２に沿って移動可能に構成されていてもよい。この場合、合焦機構５０は、照明系８の全体を光軸Ｏ２に沿って移動させることによって、スリット光のフォーカス位置を変更する。例えば、合焦機構５０は、照明系８が搭載された可動ステージと、この可動ステージを光軸Ｏ２の方向に移動させるスライド機構と、駆動力を発生するアクチュエータと、この駆動力をスライド機構に伝達する部材とを含む。対物レンズ５４を移動させる場合と同様に、合焦機構５０による照明系８の移動は、自動又は手動で行われる。
【００７４】
図３では図示が省略されているが、照明系８から出力される照明光束を被検眼Ｅに向けて反射するミラー１２が光軸Ｏ２上に配置されている。典型的には、照明系８とミラー１２とが一体的に回動するように構成されている。
【００７５】
スリットランプ顕微鏡１は、照明系８及び観察撮影系６の被検眼Ｅに対する位置を変更しつつ被検眼Ｅを複数回撮影して複数の画像を取得することができる。換言すると、スリットランプ顕微鏡１は、照明系８及び観察撮影系６を移動しつつ被検眼Ｅを複数回撮影することで、被検眼Ｅの前眼部の複数の断面画像を取得することができる。被検眼Ｅを複数回撮影するための照明系８及び観察撮影系６を移動は、回動でもよいし、平行移動でもよい。
【００７６】
このような制御により取得された複数の断面画像のそれぞれには、その取得位置（つまり、断面位置）を示す位置情報が関連付けられる。この位置情報は、例えば、次のいずれか１以上を含んでいてよい：照明系８の位置（回動位置、平行移動位置）；観察撮影系６の位置（回動位置、平行移動位置）；前眼部カメラ７０により取得された前眼部の正面画像における断面の位置；これら位置のいずれか１以上に基づき求められた情報。
【００７７】
照明系８の位置（つまり、位置及び／又は角度）や観察撮影系６の位置（位置及び／又は角度）は、例えば、エンコーダーなどを含む位置検出器によって検出することができる。或いは、照明系８の位置や観察撮影系６の位置は、照明系８や観察撮影系６を移動するための機構の制御を行うコンピュータ１００によって認識可能である。また、被検眼Ｅの前眼部の正面画像における断面の位置は、例えば、前眼部カメラ７０により取得された前眼部の正面画像と、上記の位置検出器により検出された位置とに基づいて求めることができる。詳細は後述するが、このような位置情報と複数の断面画像とに基づいて、前眼部の３次元画像を形成することができる。
【００７８】
なお、照明系８の位置と観察撮影系６の位置とを変更しつつ行われる複数回の撮影は、照明系８及び観察撮影系６の少なくとも一方が移動しているときに行われてもよいし、照明系８及び観察撮影系６の少なくとも一方が停止しているときに行われてもよい。また、照明系８の移動は連続的でも断続的でもよいし、観察撮影系６の移動は連続的でも断続的でもよい。
【００７９】
スリットランプ顕微鏡１は、被検眼Ｅに対するフォーカス位置を変更しつつ被検眼Ｅを複数回撮影して複数の画像を取得することができる。より具体的には、スリットランプ顕微鏡１は、観察撮影系６のフォーカス位置及び照明系８のフォーカス位置の少なくとも一方を変更しつつ被検眼Ｅを複数回撮影することで、被検眼Ｅの前眼部の複数の断面画像を取得することができる。
【００８０】
このような制御により取得された複数の断面画像のそれぞれには、その取得位置（フォーカス位置）を示す位置情報が関連付けられる。この位置情報は、例えば、次のいずれかを含んでいてもよい：合焦機構４０に対する制御内容；合焦機構５０に対する制御内容；合焦機構４０により移動される対象（例えば、対物レンズ３１、第１合焦レンズ、又は観察撮影系６）の位置；合焦機構５０により移動される対象（例えば、対物レンズ５４、第２合焦レンズ、又は照明系８）の位置；これら情報（制御内容、位置）のいずれか１以上に基づき求められた情報。
【００８１】
合焦機構４０又は５０に対する制御内容は、例えば、それを制御するコンピュータ１００によって認識可能である。合焦機構４０又は５０により移動される対象の位置は、例えば、エンコーダーなどを含む位置検出器によって検出することができる。詳細は後述するが、このような制御内容及び／又は位置情報と複数の断面画像とに基づいて、前眼部の３次元画像を形成することができる。
【００８２】
なお、フォーカス位置を変更しつつ行われる複数回の撮影は、フォーカス位置の変更と並行して行われてもよいし、フォーカス位置の移動が停止されているときに行われてもよい。また、フォーカス位置の変更は連続的でも断続的でもよい。
【００８３】
上記した２つの制御を組み合わせることができる。例えば、スリットランプ顕微鏡１は、照明系８の位置、観察撮影系６の位置、照明系８のフォーカス位置、及び観察撮影系６のフォーカス位置を変更しつつ被検眼Ｅを複数回撮影することによって、複数の断面画像を取得することが可能である。このような制御により取得された複数の断面画像のそれぞれには、その取得位置（断面位置及びフォーカス位置）を示す位置情報が関連付けられる。
【００８４】
〈制御系の構成〉
スリットランプ顕微鏡１の制御系について、図４〜図６を参照しながら説明する。スリットランプ顕微鏡１の制御系の構成例を図４に示す。なお、制御系を構成する複数の要素の少なくとも一部がコンピュータ１００に含まれていてもよい。
【００８５】
〈制御部１０１〉
制御部１０１は、スリットランプ顕微鏡１の各部を制御する。例えば、制御部１０１は、観察撮影系６、照明系８、移動機構６０、前眼部カメラ７０、画像合成部１２０、表示部１３０、合焦位置検出部１５０、スキャン位置検出部１６０、通信部１７０などを制御する。
【００８６】
移動機構６０は、照明系８及び観察撮影系６を移動する。移動機構６０は、例えば、移動機構部３と、支持アーム１６及び１７と、支持アーム１６及び１７を移動する機構とを含む。移動機構６０は、照明系８と観察撮影系６とを互いに独立に移動することが可能であってよい。この独立的な移動は、例えば、照明系８の回動及び観察撮影系６の回動を少なくとも含む。また、この独立的な移動は、照明系８の平行移動及び観察撮影系６の平行移動の少なくとも一方を含んでいてよい。このような独立的な移動により、被検眼Ｅに対する照明系８の位置（照明位置、照明角度）を変更すること、及び、被検眼Ｅに対する観察撮影系６の位置（観察位置、観察角度、撮影位置、撮影角度）を変更することが可能となる。
【００８７】
ここで、照明角度は、照明系８が所定の基準位置（ニュートラル位置）に配置されているときのその光軸（照明光軸）に対する角度として定義される。同様に、観察角度及び撮影角度は、例えば、観察撮影系６が所定の基準位置（ニュートラル位置）に配置されているときのその光軸（観察撮影光軸）に対する角度として定義される。照明角度の基準と観察角度及び撮影角度の基準とは同じであってもよいし、互いに異なってもよい。前述したように、本例では、観察角度及び撮影角度は、Ｚ方向に対してｒ１方向がなす角度θ１で表現され、照明角度は、Ｚ方向に対してｒ２方向がなす角度θ２で表現される。
【００８８】
移動機構６０は、照明系８と観察撮影系６とを一体的に移動することが可能であってよい。この一体的な移動は、例えば、平行移動及び回動の少なくとも一方を含む。この一体的な平行移動は、例えば、照明角度と撮影角度とを保持しつつ前眼部をスキャンするために適用可能である。また、この一体的な回動は、例えば、照明角度と撮影角度とを（連続的に又は段階的に）変化しつつ前眼部をスキャンするために適用可能である。
【００８９】
観察撮影系６に関する制御としては、変倍光学系３２の制御、撮像素子４３の制御、合焦機構４０の制御、観察撮影系６を移動させるための移動機構６０の制御、フォーカス位置検出部１５０の制御、スキャン位置検出部１６０の制御などがある。変倍光学系３２の制御としては、倍率操作ノブ１１に対する操作内容を受けて被検眼Ｅの肉眼観察像や撮影画像の倍率を変更する制御などがある。撮像素子４３の制御としては、撮像素子４３の電荷蓄積時間、感度、フレームレート等を変更する制御や、撮像素子４３により得られた画像信号ＧＳを画像合成部１２０に送る制御などがある。合焦機構４０の制御としては、合焦機構４０による観察撮影系６のフォーカス位置を変更する制御などがある。移動機構６０の制御としては、観察撮影系６を移動（回動、平行移動）する制御などがある。フォーカス位置検出部１５０の制御としては、フォーカス位置検出部１５０により検出された位置を取得し、取得された位置を画像合成部１２０に送る制御などがある。スキャン位置検出部１６０の制御としては、スキャン位置検出部１６０により検出された位置を取得し、取得された位置を画像合成部１２０に送る制御などがある。
【００９０】
照明系８に関する制御としては、照明光源５１の制御、スリット形成部５３の制御、合焦機構５０の制御、照明系８を移動させるための移動機構６０の制御、フォーカス位置検出部１５０の制御、スキャン位置検出部１６０の制御などがある。照明光源５１の制御としては、照明光源５１の点灯／消灯の切り換え、照明光の光量を変更する制御などがある。スリット形成部５３の制御としては、スリット幅を変更する制御、スリットを平行移動する制御、スリットを回転する制御などがある。合焦機構５０の制御としては、合焦機構５０によるスリット光のフォーカス位置（照明系８のフォーカス位置）を変更する制御などがある。移動機構６０の制御としては、照明系８を移動（回動、平行移動）する制御などがある。フォーカス位置検出部１５０の制御としては、フォーカス位置検出部１５０により検出された位置を取得し、取得された位置を画像合成部１２０に送る制御などがある。スキャン位置検出部１６０の制御としては、スキャン位置検出部１６０により検出された位置を取得し、取得された位置を画像合成部１２０に送る制御などがある。
【００９１】
制御部１０１は、合焦制御部１０１Ａと、スキャン制御部１０１Ｂと、記憶部１０２とを含む。
【００９２】
合焦制御部１０１Ａは、観察撮影系６のフォーカス位置の制御と、照明系８のフォーカス位置の制御とを実行する
【００９３】
図５を参照しつつ合焦制御部１０１Ａの動作について説明する。図５は、被検眼Ｅの角膜Ｅｃに対する観察撮影系６及び照明系８のフォーカス位置を模式的に表したものである。前述したように、符号３１は観察撮影系６の対物レンズであり、符号５４は照明系８の対物レンズである。符号Ｃｆは、角膜Ｅｃの前面を示し、符号Ｃｂは角膜Ｅｃの後面を示す。符号Ｃｃは、角膜Ｅｃ（角膜前面Ｃｆ）の曲率中心位置を示す。例えば、観察撮影系６及び照明系８の回動軸は、曲率中心位置Ｃｃに実質的に一致される。
【００９４】
合焦制御部１０１Ａは、被検眼Ｅの関心部位に対する深さ方向（つまり、回動動作における動径方向）のスキャン（ｒスキャン）を制御する。合焦制御部１０１Ａは、合焦機構４０と合焦機構５０とを連係的に制御することができる。例えば、合焦制御部１０１Ａは、合焦機構４０及び合焦機構５０を制御して、関心部位の深さ方向（つまり、被検眼Ｅにおける奥行き方向）の位置ＰＳ１、ＰＳ２、ＰＳ３の順番に観察撮影系６のフォーカス位置及び照明系８のフォーカス位置を変更する。観察撮影系６は、各フォーカス位置に対応した被写界深度で被検眼Ｅを撮影することができる。例えば、観察撮影系６は、位置ＰＳ１に対応した被写界深度ＰＣ１における被検眼Ｅの画像を取得することができる。
【００９５】
合焦制御部１０１Ａは、撮像装置１３に画像を取得させる制御と上記の連係的制御とを交互に実行することができる。それにより、合焦制御部１０１Ａは、被検眼Ｅの関心部位の深さ方向について複数の断面画像の取得を制御することができる。例えば、合焦制御部１０１Ａは、位置ＰＳ１を含む断面の画像と、位置ＰＳ２を含む断面の画像と、位置ＰＳ３を含む断面の画像とを順次に取得するように制御を行うことができる。
【００９６】
スキャン制御部１０１Ｂは、被検眼Ｅの関心部位に対するスキャン位置を水平方向（深さ方向に略直交する方向）に移動するための制御を行う。なお、詳細な説明は省略するが、水平方向と深さ方向との双方に略直交する上下方向にスキャン位置を移動するための制御についても、同じ要領で実行することができる。
【００９７】
図６を参照しつつスキャン制御部１０１Ｂの動作について説明する。図６は、角膜Ｅｃに対する観察撮影系６及び照明系８のフォーカス位置を模式的に表したものである。なお、図６において、図５と同様の要素及び箇所には同一符号を付し、適宜説明を省略する。
【００９８】
スキャン制御部１０１Ｂは、被検眼Ｅの関心部位に対する水平方向（つまり、回動動作における偏角方向）のスキャン（θスキャン）を制御する。スキャン制御部１０１Ｂは、例えば、照明系８の回動と観察撮影系６の回動とを連係させるように移動機構６０を制御する。例えば、スキャン制御部１０１Ｂは、水平方向のスキャン位置ＰＳ１、ＰＳ１１、ＰＳ１２の順番に観察撮影系６及び照明系８を移動させる。
【００９９】
スキャン制御部１０１Ｂは、撮像装置１３に画像を取得させる制御と移動機構６０の制御とを交互に実行することができる。それにより、スキャン制御部１０１Ｂは、被検眼Ｅの関心部位において水平方向に配列された複数の断面画像を取得するための制御を行うことができる。例えば、スキャン制御部１０１Ｂは、位置ＰＳ１を含む断面の画像と、位置ＰＳ１１を含む断面の画像と、位置ＰＳ１２を含む断面の画像とを順次に取得するように制御を行うことができる。
【０１００】
水平方向の位置ＰＳ１、ＰＳ１１、ＰＳ１２のそれぞれにおいて、合焦制御部１０１Ａは、観察撮影系６のフォーカス位置及び照明系８のフォーカス位置を深さ方向に変更することができる。それにより、位置ＰＳ１、ＰＳ２、ＰＳ３、ＰＳ１１、ＰＳ２１、ＰＳ３１、ＰＳ１２、ＰＳ２２、ＰＳ３２のそれぞれについて断面画像を取得することができる。
【０１０１】
図６では、光学系の回動によるスキャンについて説明したが、光学系の平行移動によるスキャンを行うことができる。例えば、水晶体の前嚢を撮影するために、撮影角度θ１＝０度の位置（ニュートラル位置）に観察撮影系６を配置し、且つ、照明角度θ２≠０度の位置に照明系８を配置した状態で、観察撮影系６と照明系８とを一体的に平行移動することで、水晶体の前嚢を好適に画像化することができる。また、水晶体の後嚢及び前嚢を撮影する場合、撮影角度θ１＝０度の位置に観察撮影系６を配置し、且つ、前嚢撮影の場合よりも小さい角度に照明角度θ２を設定した状態で、観察撮影系６と照明系８とを一体的に平行移動することで、水晶体の後嚢及び前嚢を好適に画像化することができる。
【０１０２】
スキャンを行わずに前眼部撮影を行うことも可能である。例えば、ニュートラル位置を挟んで反対方向に同じ角度だけ離れた位置に観察撮影系６と照明系８とを配置し（θ１＝−θ２）、角膜内皮細胞を撮影することができる。この配置によって、スペキュラーマイクロスコープと同様の構成を実現することができる。
【０１０３】
光学系の移動（回動、平行移動）によるスキャン（つまり、複数の断面画像の収集）と並行して、前眼部カメラ７０による前眼部の撮影を行うことができる。この前眼部撮影は、複数回の撮影であってよく、動画撮影であってもよい。これにより、スキャン中における前眼部の動きや変化を検出することや、トラッキングを行うことが可能になる。なお、スキャンが行われていないときに前眼部の撮影を行うことも可能である。
【０１０４】
前眼部カメラ７０により取得された前眼部の正面画像とともに、スキャン位置（断面位置）を提示することができる。例えば、スキャン位置を表す画像を正面画像上に表示することができる。ここで、例えば、前眼部カメラ７０の位置（既知）と、スキャン位置検出部１６０からの出力とに基づいて、正面画像とスキャン位置との間の相対位置を求めることが可能である。
【０１０５】
記憶部１０２は、各種のコンピュータプログラムやデータを記憶する。コンピュータプログラムには、所定の動作モードにしたがってスリットランプ顕微鏡１を動作させるための演算プログラムや制御プログラムが含まれる。データには、各種の検査において使用されるデータが含まれる。
【０１０６】
このようなデータの例として、スキャン情報がある。スキャン情報は、例えば、関心部位の複数のスキャン位置に観察撮影系６及び照明系８を移動させるための制御情報と、各スキャン位置について１以上の深さ方向の位置に観察撮影系６及び照明系８のフォーカス位置を変更するための制御情報とを含む。これら制御情報は、事前に記憶部１０２に保存される。制御部１０１は、記憶部１０２に記憶されたコンピュータプログラム及びスキャン情報を用いて、スキャン制御部１０１Ｂによる水平方向のスキャン位置を制御と、合焦制御部１０１Ａによるフォーカス位置の制御とを、個別的に又は連係的に実行することができる。
【０１０７】
制御部１０１は、プロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ等を含む。ＲＯＭやハードディスクドライブ等の記憶装置には、制御プログラムがあらかじめ記憶されている。制御部１０１の動作は、制御プログラム等のソフトウェアと、プロセッサ等のハードウェアとが協働することによって実現される。制御部１０１は、スリットランプ顕微鏡１の本体（例えば基台４内）やコンピュータ１００に配置される。
【０１０８】
〈画像合成部１２０〉
画像合成部１２０は、合焦制御部１０１Ａ及び／又はスキャン制御部１０１Ｂが実行する上記制御にしたがって撮像装置１３により取得された複数の断面画像を合成する。
【０１０９】
例えば、画像合成部１２０は、合焦機構４０及び合焦機構５０によりフォーカス位置を変更しつつ撮像装置１３により取得された複数の断面画像を合成する。この場合、複数の断面画像は深さ方向に配列されている。換言すると、複数の断面画像がそれぞれ描写する複数の断面は、同一平面内に配置されている。このような複数の断面画像から構築される合成画像は、個々の断面画像よりも深い被写界深度の（換言すると、パンフォーカスの、又は、ディープフォーカスの）２次元断面画像である。
【０１１０】
画像合成部１２０は、断面が同一の平面内に配置されていない複数の（２次元）断面画像を合成することにより３次元画像を形成することができる。３次元画像とは、３次元座標系により画素の位置が定義された画像（画像データ）を意味する。
【０１１１】
３次元画像の例として、複数の断面画像のスタックデータがある。スタックデータは、複数のスキャン位置において得られた複数の断面画像を、スキャン位置の位置関係に基づいて３次元的に配置して得られる画像データである。より具体的に説明すると、スタックデータは、元々個別の２次元座標系により定義されていた複数の断面画像を、同じ３次元座標系により表現する（つまり、同じ３次元空間に埋め込む）ことにより得られる画像データである。
【０１１２】
合焦機構４０及び合焦機構５０によりフォーカス位置を変更しつつ撮像装置１３により取得された複数の断面画像からスタックデータを形成するとき、これら断面画像のそれぞれをＺ方向に沿う断面に投影することができる。例えば、照明角度θ２≠０度で撮影された断面画像を、Ｚ方向に沿う断面（例えば、ＸＺ断面又はＹＺ断面）に投影することができる。これにより、互いに平行な複数の投影画像が得られる。各投影画像の位置は、対応する断面画像に基づき決定される。例えば、対応する断面画像の所定位置（例えば、中心位置）と投影画像の所定位置（例えば、中心位置）とが一致するように、投影画像の位置を決定することができる。このようにしてそれぞれの位置が決定された複数の投影画像を同じ３次元空間に埋め込むことで、スタックデータを形成することが可能である。
【０１１３】
３次元画像の他の例としてボリュームデータ（ボクセルデータとも呼ばれる）がある。ボリュームデータは、３次元的な画素であるボクセルが３次元的に配列された画像データである。ボリュームデータは、例えば、スタックデータに補間処理を施し、画素を３次元化（ボクセル化）することによって形成される。
【０１１４】
このような画像合成処理を実行するために、画像合成部１２０は、配列処理部１２１と合成処理部１２２とを含む。
【０１１５】
配列処理部１２１は、ｒスキャン、θスキャン（光学系の回動）、又はこれらの組み合わせにより取得された複数の断面画像の配列を、これら断面画像に関連付けられた位置情報（例えば、フォーカス位置、断面位置）に基づき特定し、特定された配列にしたがって複数の断面画像を配置することができる。或いは、配列処理部１２１は、ｒスキャン、θスキャン（光学系の回動）、又はこれらの組み合わせにより取得された複数の断面画像に基づく複数の投影画像の配列を、これら投影画像に関連付けられた位置情報（例えば、フォーカス位置、断面位置）に基づき特定し、特定された配列にしたがって複数の投影画像を配置することができる。
【０１１６】
また、配列処理部１２１は、ｒスキャンと光学系の平行移動との組み合わせにより取得された複数の断面画像の配列を、これら断面画像に関連付けられた位置情報（例えば、フォーカス位置、断面位置）に基づき特定し、特定された配列にしたがって複数の断面画像を配置する。或いは、配列処理部１２１は、ｒスキャンと光学系の平行移動との組み合わせにより取得された複数の断面画像に基づく複数の投影画像の配列を、これら投影画像に関連付けられた位置情報（例えば、フォーカス位置、断面位置）に基づき特定し、特定された配列にしたがって複数の投影画像を配置することができる。
【０１１７】
例えば、配列処理部１２１は、フォーカス位置検出部１５０により検出されたスリット光のフォーカス位置（例えば、前述した位置情報）を制御部１０１から受けて複数の断面画像（又は、複数の投影画像）を配列する。また、配列処理部１２１は、スキャン位置検出部１６０により検出された観察撮影系６及び照明系８の位置（例えば、前述した位置情報）を制御部１０１から受けて複数の断面画像（又は、複数の投影画像）を配列する。
【０１１８】
合成処理部１２２は、配列処理部１２１により配列された複数の断面画像を合成する。この画像合成処理は、例えば、スタックデータを形成する処理を含んでよく、ボリュームデータを形成する処理を更に含んでよい。
【０１１９】
このような一連の処理を実行することにより、画像合成部１２０は、被検眼Ｅの前眼部の複数の断面画像に基づく３次元画像や２次元画像を形成することができる。
【０１２０】
他の例において、画像合成部１２０は、前述した位置情報を用いることなく複数の断面画像を合成することができる。例えば、画像合成部１２０は、異なる２以上の断面画像において共通の部位を描出している画像領域（共通領域）を画像解析によって特定し、特定された共通領域が重なるようにこれら断面画像を貼り合わせることができる。このような画像解析が適用される場合、フォーカス位置検出部１５０やスキャン位置検出部１６０が設けられる必要はない。ただし、フォーカス位置検出部１５０やスキャン位置検出部１６０により得られた情報を「画像の位置の粗調整」に利用し、その後に画像解析による「画像の位置の微調整」を行うようにしてもよい。
【０１２１】
画像合成部１２０の機能の少なくとも一部が、スリットランプ顕微鏡１と異なる装置に設けられていてもよい。例えば、スリットランプ顕微鏡１との間で通信が可能なコンピュータに、画像合成部１２０の機能の少なくとも一部を設けることができる。その具体例として、スリットランプ顕微鏡１が設置されている施設に設けられたコンピュータ（例えば、端末３０００−ｎ、サーバなど）に、画像合成部１２０の機能の少なくとも一部を設けることができる。或いは、管理サーバ４０００又はこれとの間で通信が可能なコンピュータに、画像合成部１２０の機能の少なくとも一部を設けることができる。他の例として、遠隔端末５０００ｍ又はこれとの間で通信が可能なコンピュータに、画像合成部１２０の機能の少なくとも一部を設けることができる。
【０１２２】
〈フォーカス位置検出部１５０〉
フォーカス位置検出部１５０は、例えば、観察撮影系６のフォーカス位置を検出する第１フォーカス位置検出部と、照明系８のフォーカス位置を検出する第２フォーカス位置検出部とを含む。第１フォーカス位置検出部及び／又は第２フォーカス位置検出部は、例えば、エンコーダーやポテンショメーターなどの位置センサーを含んでよい。
【０１２３】
或いは、第１フォーカス位置検出部は、合焦制御部１０１Ａが観察撮影系６に対して実行した制御の内容（つまり、制御の履歴）に基づいて観察撮影系６のフォーカス位置を求めるプロセッサを含んでもよい。同様に、第２フォーカス位置検出部は、合焦制御部１０１Ａが照明系８に対して実行した制御の内容（つまり、制御の履歴）に基づいて照明系８のフォーカス位置を求めるプロセッサを含んでもよい。
【０１２４】
〈スキャン位置検出部１６０〉
スキャン位置検出部１６０は、例えば、観察撮影系６の位置を検出する第１位置検出部と、照明系８の位置を検出する第２位置検出部とを含む。第１位置検出部及び／又は第２位置検出部は、例えば、基台４の位置を検出するための位置センサーと、支持アーム１６及び１７の位置を検出するための回動角度センサーとを含む。
【０１２５】
或いは、第１位置検出部は、スキャン制御部１０１Ｂが観察撮影系６に対して実行した制御の内容（つまり、制御の履歴）に基づいて観察撮影系６の位置を求めるプロセッサを含んでもよい。同様に、第２位置検出部は、スキャン制御部１０１Ｂが照明系８に対して実行した制御の内容（つまり、制御の履歴）に基づいて照明系８の位置を求めるプロセッサを含んでもよい。
【０１２６】
〈表示部１３０〉
表示部１３０は、制御部１０１の制御を受けて各種の情報を表示する。例えば、表示部１３０は、液晶ディスプレイ（ＬＣＤ）などのフラットパネルディスプレイを含む。表示部１３０は、スリットランプ顕微鏡１の本体に設けられていてもよいし、コンピュータ１００に設けられていてもよい。
【０１２７】
〈操作部１４０〉
操作部１４０は、スリットランプ顕微鏡１を操作するための操作デバイスや、情報を入力するための入力デバイスを含む。操作部１４０には、スリットランプ顕微鏡１に設けられたボタンやスイッチ（例えば、操作ハンドル５、倍率操作ノブ１１など）や、コンピュータ１００に設けられた操作デバイス（例えば、マウス、キーボードなど）が含まれる。また、操作部１４０は、トラックボール、操作パネル、スイッチ、ボタン、ダイアルなど、任意の操作デバイスや入力デバイスを含んでいてよい。
【０１２８】
図４では、表示部１３０と操作部１４０とを別々に表しているが、表示部１３０の少なくとも一部と操作部１４０の少なくとも一部とが同じデバイスであってもよい。その具体例として、タッチスクリーンがある。
【０１２９】
〈通信部１７０〉
通信部１７０は、スリットランプ顕微鏡１と他の装置との間におけるデータ通信を行う。データ通信の方式は任意である。例えば、通信部１７０は、インターネットに準拠した通信インターフェイス、専用線に準拠した通信インターフェイス、ＬＡＮに準拠した通信インターフェイス、近距離通信に準拠した通信インターフェイスなどを含む。データ通信は有線通信でも無線通信でもよい。
【０１３０】
通信部１７０により送受信されるデータは暗号化されていてよい。その場合、例えば、制御部１０１は、送信データを暗号化する暗号化処理部と、受信データを復号化する復号化処理部とを含む。
【０１３１】
〈管理サーバ４０００〉
管理サーバ４０００の構成について説明する。図７に例示された管理サーバ４０００は、制御部４０１０と、通信確立部４１００と、通信部４２００とを備える。
【０１３２】
〈制御部４０１０〉
制御部４０１０は、管理サーバ４０００の各部の制御を実行する。制御部４０１０は、その他の演算処理を実行可能であってよい。制御部４０１０はプロセッサを含む。制御部４０１０は、更に、ＲＡＭ、ＲＯＭ、ハードディスクドライブ、ソリッドステートドライブなどを含んでいてよい。
【０１３３】
制御部４０１０は、通信制御部４０１１と転送制御部４０１２とを含む。
【０１３４】
通信制御部４０１１は、複数の眼科撮影装置２０００−ｉｎと複数の端末３０００−ｎと複数の遠隔端末５０００ｍとを含む複数の装置の間における通信の確立に関する制御を実行する。例えば、通信制御部４０１１は、眼科システム１０００に含まれる複数の装置のうちから後述の選択部４１２０によって選択された２以上の装置のそれぞれに向けて、通信を確立するための制御信号を送る。
【０１３５】
転送制御部４０１２は、通信確立部４１００（及び通信制御部４０１１）により通信が確立された２以上の装置の間における情報のやりとりに関する制御を行う。例えば、転送制御部４０１２は、通信確立部４１００（及び通信制御部４０１１）により通信が確立された少なくとも２つの装置のうちの一方の装置から送信された情報を他の装置に転送するように機能する。
【０１３６】
具体例として、眼科撮影装置２０００−ｉｎと遠隔端末５０００ｍとの間の通信が確立された場合、転送制御部４０１２は、眼科撮影装置２０００−ｉｎから送信された情報（例えば、眼科撮影装置２０００−ｉｎにより取得された画像、眼科撮影装置２０００−ｉｎに入力された情報など）を遠隔端末５０００ｍに転送することができる。逆に、転送制御部４０１２は、遠隔端末５０００ｍから送信された情報（例えば、眼科撮影装置２０００−ｉｎの動作モードの指定結果）を眼科撮影装置２０００−ｉｎに転送することができる。
【０１３７】
転送制御部４０１２は、送信元の装置から受信した情報を加工する機能を有していてもよい。この場合、転送制御部４０１２は、受信した情報と、加工処理により得られた情報との少なくとも一方を転送先の装置に送信することができる。
【０１３８】
例えば、転送制御部４０１２は、眼科撮影装置２０００−ｉｎ等から送信された情報の一部を抽出して遠隔端末５０００ｍ等に送信することができる。また、眼科撮影装置２０００−ｉｎ等から送信された情報（例えば、被検眼Ｅの画像）を管理サーバ４０００又は他の装置によって解析し、その解析結果（及び元の情報）を遠隔端末５０００ｍ等に送信するようにしてもよい。
【０１３９】
スリットランプ顕微鏡１（眼科撮影装置２０００−ｉｎ）から複数の断面画像が送信された場合、管理サーバ４０００又は他の装置が、これら断面画像から３次元画像（例えば、スタックデータ又はボリュームデータ）を構築し、転送制御部４０１２が、構築された３次元画像を遠隔端末５０００ｍに送信するように構成することが可能である。
【０１４０】
また、スリットランプ顕微鏡１（眼科撮影装置２０００−ｉｎ）からスタックデータが送信された場合、管理サーバ４０００又は他の装置が、このスタックデータからボリュームデータを構築し、転送制御部４０１２が、構築されたボリュームデータを遠隔端末５０００ｍに送信するように構成することが可能である。
【０１４１】
管理サーバ４０００又は他の装置により実行可能なデータ加工処理は、上記した例には限定されず、任意のデータ処理を含んでいてよい。
【０１４２】
〈通信確立部４１００〉
通信確立部４１００は、複数の眼科撮影装置２０００−ｉｎと複数の端末３０００−ｎと複数の遠隔端末５０００ｍとを含む複数の装置のうちから選択された少なくとも２つの装置の間における通信を確立するための処理を実行する。本実施形態において「通信の確立」とは、例えば、（１）通信が切断された状態から一方向通信を確立すること、（２）通信が切断された状態から双方向通信を確立すること、（３）受信のみが可能な状態から送信も可能な状態に切り替えること、（４）送信のみが可能な状態から受信も可能な状態に切り替えること、のうちの少なくとも１つを含む概念である。
【０１４３】
更に、通信確立部４１００は、確立されている通信を切断する処理を実行可能である。本実施形態において「通信の切断」とは、例えば、（１）一方向通信が確立された状態から通信を切断すること、（２）双方向通信が確立された状態から通信を切断すること、（３）双方向通信が確立された状態から一方向通信に切り替えること、（４）送信及び受信が可能な状態から受信のみが可能な状態に切り替えること、（５）送信及び受信が可能な状態から送信のみが可能な状態に切り替えること、のうちの少なくとも１つを含む概念である。
【０１４４】
眼科撮影装置２０００−ｉｎ、端末３０００−ｎ、及び遠隔端末５０００ｍのそれぞれは、他の装置（そのユーザー）を呼び出すための通信要求（呼び出し要求）と、他の２つの装置の間の通信に割り込むための通信要求（割り込み要求）とのうちの少なくとも一方を管理サーバ４０００に送信することができる。呼び出し要求及び割り込み要求は、手動又は自動で発信される。管理サーバ４０００（通信部４２００）は、眼科撮影装置２０００−ｉｎ、端末３０００−ｎ、又は遠隔端末５０００ｍから送信された通信要求を受信する。
【０１４５】
本実施形態において、通信確立部４１００は選択部４１２０を含んでいてよい。選択部４１２０は、例えば、眼科撮影装置２０００−ｉｎ、端末３０００−ｎ、又は遠隔端末５０００ｍから送信された通信要求に基づいて、眼科撮影装置２０００−ｉｎ、端末３０００−ｎ、及び遠隔端末５０００ｍのうちから、当該通信要求を送信した装置以外の１以上の装置を選択する。
【０１４６】
選択部４１２０が実行する処理の具体例を説明する。眼科撮影装置２０００−ｉｎ又は端末３０００−ｎからの通信要求（例えば、眼科撮影装置２０００−ｉｎにより取得された画像の読影の要求）を受けた場合、選択部４１２０は、例えば、複数の遠隔端末５０００ｍのうちのいずれかを選択する。通信確立部４１００は、選択された遠隔端末５０００ｍと、眼科撮影装置２０００−ｉｎ及び端末３０００−ｎの少なくとも一方との間の通信を確立する。
【０１４７】
通信要求に応じた装置の選択は、例えば、予め設定された属性に基づいて実行される。この属性の例として、検査の種別（例えば、撮影モダリティの種別、画像の種別、疾患の種別、候補疾患の種別など）や、要求される専門度・熟練度や、言語の種別などがある。本例に係る処理を実現するために、通信確立部４１００は、予め作成された属性情報が記憶された記憶部４１１を含んでいてよい。属性情報には、遠隔端末５０００ｍ及び／又はその使用者（医師）の属性が記録されている。
【０１４８】
医師の識別は、例えば、事前に割り当てられた医師ＩＤによって行われる。また、遠隔端末５０００ｍの識別は、例えば、事前に割り当てられた装置ＩＤやネットワークアドレスによって行われる。典型的な例において、属性情報は、各医師の属性として、専門分野（例えば、診療科、専門とする疾患など）、専門度・熟練度、使用可能な言語の種別などを含む。
【０１４９】
選択部４１２０が属性情報を参照する場合、眼科撮影装置２０００−ｉｎ、端末３０００−ｎ、又は遠隔端末５０００ｍから送信される通信要求は、属性に関する情報を含んでいてよい。例えば、眼科撮影装置２０００−ｉｎから送信される読影要求（つまり、診断要求）は、次のいずれかの情報を含んでいてよい：（１）撮影モダリティの種別を示す情報；（２）画像の種別を示す情報；（３）疾患名や候補疾患名を示す情報；（４）読影の難易度を示す情報；（５）眼科撮影装置２０００−ｉｎ及び／又は端末３０００−ｎのユーザーの使用言語を示す情報。
【０１５０】
このような読影要求を受信した場合、選択部４１２０は、この読影要求と記憶部４１１０に記憶された属性情報とに基づいて、いずれかの遠隔端末５０００ｍを選択することができる。このとき、選択部４１２０は、読影要求に含まれる属性に関する情報と、記憶部４１１０に記憶された属性情報に記録された情報とを照合する。それにより、選択部４１２０は、例えば、次のいずれかの属性に該当する医師に対応する遠隔端末５０００ｍを選択する：（１）当該撮影モダリティを専門とする医師；（２）当該画像種別を専門とする医師；（３）当該疾患（当該候補疾患）を専門とする医師；（４）当該難易度の読影が可能な医師；（５）当該言語を使用可能な医師。
【０１５１】
なお、医師と遠隔端末５０００ｍとの間の対応付けは、例えば、遠隔端末５０００ｍ（又は眼科システム１０００）へのログイン時に入力された医師ＩＤによってなされる。
【０１５２】
〈通信部４２００〉
通信部４２００は、他の装置（例えば、眼科撮影装置２０００−ｉｎ、端末３０００−ｎ、及び遠隔端末５０００ｍのいずれか）との間でデータ通信を行う。データ通信の方式や暗号化については、眼科撮影装置２０００−ｉｎの通信部１７０と同様であってよい。
【０１５３】
〈遠隔端末５０００ｍ〉
遠隔端末５０００ｍの構成について説明する。図８に例示された遠隔端末５０００ｍは、制御部５０１０と、データ処理部５１００と、通信部５２００と、操作部５３００とを備える。
【０１５４】
〈制御部５０１０〉
制御部５０１０は、遠隔端末５０００ｍの各部の制御を実行する。制御部５０１０は、その他の演算処理を実行可能であってよい。制御部５０１０は、プロセッサ、ＲＡＭ、ＲＯＭ、ハードディスクドライブ、ソリッドステートドライブなどを含む。
【０１５５】
制御部５０１０は表示制御部５０１１を含む。表示制御部５０１１は、表示装置６０００ｍを制御する。表示装置６０００ｍは、遠隔端末５０００ｍに含まれてもよいし、遠隔端末５０００ｍに接続された周辺機器であってもよい。表示制御部５０１１は、被検眼Ｅの前眼部の画像を表示装置６０００ｍに表示させる。前眼部の画像としては、３次元画像のレンダリング画像、正面画像、ＯＣＴ画像、解析結果を表す画像、スリット画像などがある。
【０１５６】
制御部５０１０はレポート作成制御部５０１２を含む。レポート作成制御部５０１２は、表示制御部５０１１により表示された情報に関するレポートを作成するための各種の制御を実行する。例えば、レポート作成制御部５０１２は、レポートを作成するための画面やグラフィカルユーザーインターフェイス（ＧＵＩ）を表示装置６０００ｍに表示させる。また、レポート作成制御部５０１２は、ユーザーが入力した情報や、前眼部の画像や、画像の解析データなどを、所定のレポートテンプレートに入力する。
【０１５７】
〈データ処理部５１００〉
データ処理部５１００は、各種のデータ処理を実行する。
【０１５８】
例えば、データ処理部５１００は、スリットランプ顕微鏡１（眼科撮影装置２０００−ｉｎ）から送信された複数の断面画像から３次元画像（例えば、スタックデータ又はボリュームデータ）を構築することができる。また、データ処理部５１００は、スリットランプ顕微鏡１（眼科撮影装置２０００−ｉｎ）から送信されたスタックデータからボリュームデータを構築することができる。
【０１５９】
データ処理部５１００は、レジストレーション部５１０５と、部分領域指定部５１１０と、レンダリング部５１２０と、解析部５１３０とを含む。
【０１６０】
レジストレーション部５１０５は、前眼部の正面画像と３次元画像との間のレジストレーションを行う。前述したように、前眼部カメラ７０の位置（既知）と、スキャン位置検出部１６０からの出力とに基づいて、前眼部カメラ７０により取得された正面画像と、３次元画像を取得するためのスキャンが適用された位置（スキャン位置）との間の相対位置を求めることが可能である。レジストレーション部５１０５は、この相対位置に基づいて、前眼部の正面画像と３次元画像との間のレジストレーションを行うことができる。
【０１６１】
他の例において、レジストレーション部５１０５は、前眼部の３次元画像をＺ方向に投影して正面画像（プロジェクション画像）を構築し、前眼部カメラ７０により取得された正面画像とプロジェクション画像との間のレジストレーションを行うことができる。本例のレジストレーション部５１０５は、前眼部カメラ７０により取得された正面画像中の特徴点を特定する処理と、プロジェクション画像中の特徴点を特定する処理とを実行し、互いの特徴点の位置が合致するように正面画像とプロジェクション画像との間のレジストレーションを行う。本例によれば、スキャン位置の検出を行う必要がない。
【０１６２】
部分領域指定部５１１０は、眼科撮影装置２０００−ｉｎから送信された画像又はそれに基づき表示された画像について、その部分領域を指定する。
【０１６３】
部分領域指定部５１１０により実行可能な処理の例を説明する。スリットランプ顕微鏡１（眼科撮影装置２０００−ｉｎ）を用いて被検眼Ｅの前眼部の複数の断面画像が得られた場合、スリットランプ顕微鏡１、管理サーバ４０００、遠隔端末５０００ｍ、又は他の装置によって、被検眼Ｅの前眼部の３次元画像が形成される。このような３次元画像が遠隔端末５０００ｍに入力されたとする。制御部５０１０は、前述したハードディスクドライブ又はソリッドステートドライブ等の記憶装置に３次元画像を保存する。
【０１６４】
表示制御部５０１１は、この３次元画像に基づく画像を表示装置６０００ｍに表示させることができる。例えば、制御部５０１０は、３次元画像（例えば、スタックデータ又はボリュームデータ）をレンダリング部５１２０に送る。レンダリング部５１２０は、３次元画像をレンダリングして画像を形成する。表示制御部５０１１は、レンダリング部５１２０により形成された画像を表示装置６０００ｍに表示させる。
【０１６５】
遠隔端末５０００ｍのユーザー（医師）は、表示装置６０００ｍに表示された画像の部分領域を指定することができる。この指定操作は操作部５３００を用いて行われる。例えば、ユーザーは、ポインティングデバイスを用いて表示画像の所望の範囲を指定することができる。
【０１６６】
部分領域指定部５１１０は、ユーザーにより指定された表示画像の部分領域に対応する３次元画像の部分領域を特定する。ここで、表示画像は３次元画像をレンダリングして得られた画像である。したがって、表示画像の部分領域に対応する３次元画像の部分領域は、このレンダリングの処理内容に基づき容易に特定される。
【０１６７】
他の例を説明する。被検眼Ｅの他の画像（参照画像と呼ぶ）が過去に取得された場合、この参照画像を利用して３次元画像の部分領域を指定することができる。参照画像は、例えば、前眼部カメラ７０により取得された正面画像であってよい。或いは、前眼部のＯＣＴ画像を参照画像とすることも可能である。
【０１６８】
参照画像の少なくとも一部と３次元画像の少なくとも一部とが被検眼Ｅの同じ部位を描出していてよい。或いは、参照画像の少なくとも一部が描出している部位と３次元画像の少なくとも一部が描出している部位との双方を描出した広域画像を更に利用することも可能である。このような画像を利用することで、レジストレーション部５１０５は、参照画像と３次元画像との間のレジストレーションを行うことができる。
【０１６９】
表示制御部５０１１は、参照画像（又は広域画像）を表示装置６０００ｍに表示させることができる。ユーザーは、操作部５３００を用いて、参照画像（又は広域画像）の部分領域を指定することができる。部分領域指定部５１１０は、ユーザーにより指定された参照画像（又は広域画像）の部分領域と、レジストレーションの結果とに基づいて、３次元画像の部分領域を指定することができる。
【０１７０】
以上、ユーザーの操作に基づいて３次元画像の部分領域を指定する場合の例を説明したが、手動での指定はこれらに限定されない。一方、ユーザーの操作によらず、部分領域指定部５１１０が自動で３次元画像の部分領域を指定するようにしてもよい。人工知能プロセッサを用いてこのような自動指定を行ってもよい。
【０１７１】
一例において、部分領域指定部５１１０は、前眼部の正面画像を解析することにより、又は、３次元画像及びそれに基づく表示画像の少なくとも一方を解析することにより、３次元画像の部分領域を指定することができる。例えば、部分領域指定部５１１０は、３次元画像又は表示画像にセグメンテーションを適用して被検眼Ｅの所定の組織に相当する画像領域を特定し、特定された画像領域に基づいて部分領域を指定することができる。被検眼Ｅの所定の組織は、例えば、任意の条件にしたがって決定される。この条件の例として、撮影モダリティの種別、画像の種別、（候補）疾患名などがある。
【０１７２】
レンダリング部５１２０は、画像に対してレンダリングを適用する。例えば、レンダリング部５１２０は、部分領域指定部５１１０により指定された３次元画像の部分領域に基づいて、この３次元画像をレンダリングする。
【０１７３】
レンダリングは任意の処理であってよく、例えば３次元コンピュータグラフィクスを含む。３次元コンピュータグラフィクスは、３次元座標系により定義された３次元空間内の仮想的な立体物（スタックデータ、ボリュームデータなどの３次元画像）を２次元情報に変換することにより立体感のある画像を作成する演算手法である。
【０１７４】
レンダリングの例として、ボリュームレンダリング法、最大値投影法（ＭＩＰ）、最小値投影法（ＭｉｎＩＰ）、サーフェスレンダリング法、多断面再構成法（ＭＰＲ）、プロジェクション画像形成、シャドウグラム形成などがある。レンダリングの更なる例として、スリットランプ顕微鏡１で得られた断面画像の再現、シャインプルーフ画像の形成などがある。また、レンダリング部５１２０は、このようなレンダリングとともに適用される任意の処理を実行可能であってよい。
【０１７５】
解析部５１３０は、被検眼Ｅの前眼部の３次元画像、そのレンダリング画像、正面画像などを解析する。
【０１７６】
レンダリング部５１２０は、前眼部の３次元画像において角膜に相当する領域（角膜領域）を特定することができる。例えば、レンダリング部５１２０は、角膜の表面（前面）に相当する領域（角膜表面領域）を特定することができる。また、レンダリング部５１２０は、角膜の裏面（後面）に相当する領域（角膜裏面領域）を特定することができる。このような画像領域特定は、例えば、セグメンテーション、エッジ検出、閾値処理など、公知の画像処理を含む。
【０１７７】
レンダリング部５１２０が角膜表面領域を特定した場合、解析部５１３０は、この角膜表面領域を解析して角膜曲率半径を求めることができる。例えば、解析部５１３０は、角膜の１以上の代表点（角膜頂点など）における曲率半径を算出することができる。レポート作成制御部５０１２は、解析部５１３０により求められた角膜曲率半径及びこれに基づく情報の少なくとも一方を、レポートテンプレートに入力することができる。ここで、角膜曲率半径に基づく情報の例として、コンタクトレンズの識別情報（型番など）がある。
【０１７８】
解析部５１３０は、レンダリング部５１２０により特定された角膜表面領域に基づいて、角膜の多数の位置における曲率半径を算出してもよい。つまり、解析部５１３０は、角膜曲率半径分布を求めてもよい。更に、解析部５１３０は、予め設定された標準分布からの角膜曲率半径分布の偏差を表す偏差分布を求めることができる。この処理は、角膜曲率半径分布と標準分布との間のレジストレーションと、対応位置の値同士の比較（差分など）とを含む。レポート作成制御部５０１２は、解析部５１３０により求められた偏差分布及びこれに基づく情報の少なくとも一方を、レポートテンプレートに入力することができる。ここで、偏差分布に基づく情報の例として、コンタクトレンズの識別情報（型番など）がある。
【０１７９】
表示制御部５０１１は、解析部５１３０により求められた偏差分布を表示装置６０００ｍに表示させることができる。このとき、標準値に対する偏差の大きさを色で表すことができる。これにより、角膜曲率半径の偏差分布を表すカラーマップが表示される。レポート作成制御部５０１２は、このようなカラーマップをレポートに入力することが可能である。
【０１８０】
前述したように、レジストレーション部５１０５は、前眼部カメラ７０により取得された正面画像とスキャンに基づく３次元画像との間のレジストレーションを行うことができる。表示制御部５０１１は、この正面画像を表示装置６０００ｍに表示させることができる。ユーザーは、操作部５３００等のユーザーインターフェイスを用いて、表示された正面画像中の注目領域を指定することができる。注目領域は、例えば、断面を表す線分、又は、３次元領域を表すエリアである。レンダリング部５１２０は、指定された注目領域に対応する３次元画像の部分領域を、正面画像と３次元画像との間のレジストレーションの結果に基づいて特定する。更に、レンダリング部５１２０は、特定された部分領域に対応するレンダリング画像を形成する。例えば、正面画像に対して線分が指定された場合、レンダリング部５１２０は、この線分を含む平面（断面）を表す断面画像を形成する。また、正面画像に対して２次元エリアが指定された場合、レンダリング部５１２０は、この２次元エリアを含む３次元領域を表すレンダリング画像（例えば、ボリュームレンダリング画像）を形成する。
【０１８１】
ユーザーが指定した注目領域に対応する３次元画像の部分領域をレンダリング部５１２０が特定した場合、表示制御部５０１１は、この部分領域に対応するレンダリング画像と、前眼部カメラ７０により取得された正面画像とを、表示装置６０００ｍに表示させることができる。更に、表示制御部５０１１は、このレンダリング画像に対応する領域を表す画像（レンダリング領域画像）を、正面画像上に表示させることができる。レンダリング領域画像は、例えば、ユーザーが正面画像に対して指定した位置を表す画像であり、典型的には、線分の位置を示す画像、又は、前述した２次元エリアの位置を示す画像である。
【０１８２】
レンダリング部５１２０は、スキャンに基づく３次元画像から立体画像を形成することができる。立体画像は、例えば、ボリュームレンダリング画像、サーフェスレンダリング画像、セグメンテーションで特定された３次元領域を表現した画像などであってよい。表示制御部５０１１は、レンダリング部５１２０により形成された立体画像を表示装置６０００ｍに表示させることができる。ユーザーは、操作部５３００等のユーザーインターフェイスを用いて、表示装置６０００ｍに表示されている立体画像を操作することができる。この操作の例として、回転、拡大／縮小などがある。回転操作は、例えば、ドラッグ操作であってよい。拡大／縮小操作は、例えば、ＧＵＩ（ウィジェット）に対する操作、スクロールホイールの操作であってよい。また、立体画像の不透明度（アルファ値）を操作することも可能である。例えば、立体画像の一部の不透明度を低く設定することで、その奥に位置する箇所を透過的に観察することができる。
【０１８３】
レンダリング部５１２０は、スキャンに基づく３次元画像中の水晶体領域を特定することができる。この処理は、例えばセグメンテーション、エッジ検出などを含む。解析部５１３０は、レンダリング部５１２０により特定された水晶体領域を解析して混濁分布を求めることができる。この処理は、例えば、閾値処理などを含む。水晶体の混濁は、白内障眼などにおいて見られる。レポート作成制御部５０１２は、求められた混濁分布及びこれに基づく情報の少なくとも一方を、レポートテンプレートに入力することができる。混濁分布は、例えば、マップとして表現される。混濁分布を表すマップは、混濁の強さを色で表現したカラーマップであってもよい。表示制御部５０１１は、このような混濁分布（マップ）を表示装置６０００ｍに表示させることができる。また、水晶体領域を任意に回転して観察することや、水晶体領域の任意のスライスを観察することなどが可能である。また、水晶体領域に対して任意の解析（例えば、厚み測定、体積測定など）を適用することも可能である。
【０１８４】
レンダリング部５１２０は、スキャンに基づく３次元画像中の硝子体領域を特定することができる。この処理は、例えばセグメンテーション、エッジ検出などを含む。硝子体領域を任意に回転して観察することや、硝子体領域の任意のスライスを観察することなどが可能である。また、硝子体領域に対して任意の解析（例えば、後部硝子体皮質前ポケットの測定など）を適用することも可能である。
【０１８５】
〈通信部５２００〉
通信部５２００は、他の装置（例えば、眼科撮影装置２０００−ｉｎ、端末３０００−ｎ、及び管理サーバ４０００のいずれか）との間でデータ通信を行う。データ通信の方式や暗号化については、眼科撮影装置２０００−ｉｎの通信部１７０と同様であってよい。
【０１８６】
〈操作部５３００〉
操作部５３００は、遠隔端末５０００ｍの操作、遠隔端末５０００ｍへの情報入力などに使用される。本実施形態では、操作部５３００はレポートの作成に使用される。操作部５３００は、操作デバイスや入力デバイスを含む。操作部５３００は、例えば、マウス、キーボード、トラックボール、操作パネル、スイッチ、ボタン、ダイアルなどを含む。操作部５３００は、タッチスクリーンを含んでもよい。
【０１８７】
スリットランプ顕微鏡１の動作モードを指定するために操作部５３００を用いることができる。スリットランプ顕微鏡１については、１以上の動作モードが予め設けられている。本実施形態では、３次元撮影モードを設けることができる。３次元撮影モードは、被検眼の３次元画像を取得するための動作モードである。３次元撮影モードにおいて、スリットランプ顕微鏡１の制御部１０１は、照明系８と観察撮影系６と移動機構６０と合焦機構４０及び５０とを連係的に制御することにより、被検眼Ｅの前眼部の複数の断面画像を撮像装置１３に取得させる。なお、スリットランプ顕微鏡１の動作モードは３次元撮影モードに限定されない。
【０１８８】
動作モードの指定に用いられるデバイスは、操作部５３００に限定されない。例えば、スリットランプ顕微鏡１の操作部１４０又は端末３０００−ｎを用いて動作モードを指定することができる。動作モードの指定態様はこのような手動指定に限定されない。例えば、当該被検者に対して過去に適用された動作モードを電子カルテ等から取得し、これを指定することができる。また、特定疾患に予め対応付けられた動作モードを自動で指定することができる。また、検査の種別（例えば、スクリーニング、検診、健康診断、一般診療など）に予め対応付けられた動作モードを自動で指定することができる。
【０１８９】
〈使用形態〉
本実施形態に係る眼科システム１０００の使用形態について説明する。図９Ａ〜図９Ｅは、眼科システム１０００の使用形態の例を示す。ここで、図９Ａ及び図９Ｅは第１〜第Ｎ施設のいずれかにおいて実施されるステップであり、図９Ｂ及び図９Ｃは管理サーバ４０００において実施されるステップであり、図９Ｃはいずれかの遠隔端末５０００ｍにおいて実施されるステップである。本例において、眼科撮影装置２０００−ｉｎはスリットランプ顕微鏡１であるとする。
【０１９０】
スリットランプ顕微鏡１（及び／又は端末３０００−ｎ）と管理サーバ４０００との間における通信は、既に確立されているとする。或いは、図９ＡのステップＳ１からステップＳ６までの期間における任意のタイミングで、スリットランプ顕微鏡１（及び／又は端末３０００−ｎ）と管理サーバ４０００との間における通信を確立してもよい。また、管理サーバ４０００と遠隔端末５０００ｍとの間における通信は、既に確立されているか、或いは、図９ＡのステップＳ１から図９ＢのステップＳ１４までの期間における任意のタイミングで確立される。また、図９Ａ〜図９Ｅに示す処理は、例えば、数分から数十分程度の時間で実行される。つまり、スリットランプ顕微鏡１で撮影を行ってから数分ないし数十分程度の時間で、そのフィードバック（レポート）が得られる。
【０１９１】
（Ｓ１：眼科撮影装置に被検者情報を入力）
図９Ａを参照する。まず、スリットランプ顕微鏡１（又は端末３０００−ｎ）に被検者情報が入力される。入力された被検者情報は、記憶部１０２に保存される。スリットランプ顕微鏡１（及び／又は端末３０００−ｎ）と管理サーバ４０００との間における通信が既に確立されている場合、入力された被検者情報をこの段階で管理サーバ４０００に送信してもよい。被検者情報は、例えば、被検者ＩＤと背景情報とを含む。管理サーバ４０００は、被検者情報を受信した後の任意のタイミングで、遠隔端末５０００ｍの選択（図９ＢのステップＳ１３）を行うことができる。
【０１９２】
被検者ＩＤは、例えば、医療施設におけるＩＤ（患者ＩＤ）、検診におけるＩＤ、健康診断におけるＩＤなどがある。これらは例示であって、被検者ＩＤはこれらに限定されない。
【０１９３】
背景情報は、被検者に関する任意の情報であって、その例として、被検者の問診情報、所定のシートに被検者が記入した情報、被検者の電子カルテの任意の項目に記録された情報、被検者のアカウントに保存された画像などがある。典型的には、背景情報は、性別、年齢、身長、体重、疾患名、候補疾患名、検査結果（視力値、眼屈折力値、眼圧値など）、画像（前眼部のＯＣＴ画像など）、屈折矯正具（眼鏡、コンタクトレンズなど）の装用歴や度数、検査歴、治療歴などがある。これらは例示であって、背景情報はこれらに限定されない。
【０１９４】
例えば、スリットランプ顕微鏡１（又は端末３０００−ｎ）のユーザーは、操作部１４０を用いて被検者情報を入力することができる。また、制御部１０１及び通信部１７０は、当該施設に設置された情報処理システム（例えば、顧客管理システム、電子カルテシステム、医用画像アーカイビングシステム等）に通信路を介してアクセスして被検者情報を取得することができる。また、データリーダを用いて、記録媒体に記録された被検者情報を読み出すことができる。これらは例示であって、被検者情報の入力方法はこれらに限定されない。
【０１９５】
（Ｓ２：前眼部の正面画像の取得を取得）
スリットランプ顕微鏡１は、前眼部カメラ７０による被検眼Ｅの前眼部の正面画像の取得を開始する。例えば、前眼部カメラ７０は、前眼部の動画撮影を開始する。なお、正面画像を取得するタイミングや取得を開始するタイミングは、本例のそれに限定されない。
【０１９６】
（Ｓ３：３次元撮影モードに設定）
スリットランプ顕微鏡１の動作モードが３次元撮影モードに設定される。前述したように、動作モードの指定（又は選択）は、手動又は自動で行われる。
【０１９７】
（Ｓ４：前眼部をスキャン）
スリットランプ顕微鏡１は、ステップＳ３で設定された３次元撮影モードで被検眼Ｅの前眼部のスキャンを行う。それにより、被検眼Ｅの前眼部の複数の断面画像が得られる。
【０１９８】
（Ｓ５：前眼部の３次元画像を形成）
スリットランプ顕微鏡１の画像合成部１２０は、ステップＳ４で取得された複数の断面画像に基づいて３次元画像を形成する。前述したように、管理サーバ４０００、遠隔端末５０００ｍ、又は他の装置が、３次元画像形成処理を実行するようにしてもよい。
【０１９９】
（Ｓ６：管理サーバにデータを送信）
スリットランプ顕微鏡１の制御部１０１は、通信部１７０を制御して、取得されたデータを管理サーバ４０００に向けて送信する。送信されるデータは、ステップＳ１で入力された被検者情報と、ステップＳ２で取得が開始された正面画像の少なくとも１つと、ステップＳ５で形成された３次元画像と、当該施設の識別情報（施設ＩＤ）とを含む。
【０２００】
スリットランプ顕微鏡１以外の装置が３次元画像形成処理を実行する場合、３次元画像の代わりに、ステップＳ４で取得された複数の断面画像が管理サーバ４０００に送信される。
【０２０１】
（Ｓ１１：管理サーバがデータを受信）
図９Ｂを参照する。管理サーバ４０００の通信部４２００は、ステップＳ６でスリットランプ顕微鏡１が送信したデータを受信する。
【０２０２】
（Ｓ１２：データを保存）
制御部４０１０は、ハードディスクドライブ又はソリッドステートドライブ等の記憶装置、又は、外部のデータベースなどに、ステップＳ１１で受信されたデータを保存する。データは、例えば被検者ＩＤや施設ＩＤなどに基づき検索可能に格納される。
【０２０３】
（Ｓ１３：遠隔端末を選択）
選択部４１２０は、ステップＳ１１で受信されたデータなどに基づいて、複数の遠隔端末５０００ｍのうちのいずれかを選択する。前述したように、検査の種別（例えば、撮影モダリティの種別、画像の種別、疾患の種別、候補疾患の種別など）や、要求される専門度・熟練度や、言語の種別など、各種の属性を参照して遠隔端末５０００ｍの選択を行うことも可能である。
【０２０４】
選択部４１２０は、それぞれの遠隔端末５０００ｍの稼動状態（通信の確立情報）を監視する機能を備えていてよい。選択部４１２０は、この監視機能により、現在稼働していない遠隔端末５０００ｍ（読影等に現在使用されていない端末、読影等を現在行っているがスケジュールに余裕のある端末、使用の予約が入っていない端末など）のいずれかを選択することができる。それにより、他の被検者に関する読影等に現在使用されていない遠隔端末５０００ｍを選択することができる。
【０２０５】
なお、上記監視機能は、例えば、定期的又は非定期的に遠隔端末５０００ｍから入力される情報や、遠隔端末５０００ｍに送信した情報に対する反応などに基づいて、各遠隔端末５０００ｍの稼動状態をフラグ等で管理することにより実現可能である。
【０２０６】
（Ｓ１４：遠隔端末にデータを送信）
管理サーバ４０００の制御部４０１０は、通信部４２００を制御して、ステップＳ１１で受信されたデータの少なくとも一部を、ステップＳ１３で選択された遠隔端末５０００ｍに向けて送信する。送信されるデータは、ステップＳ１で入力された背景情報と、ステップＳ２で取得が開始された正面画像の少なくとも１つと、ステップＳ５で形成された３次元画像とを含む。また、レポート作成の期限日時（例えば、３０分以内）を示す情報を遠隔端末５０００ｍに送信してもよい。
【０２０７】
遠隔端末５０００ｍが３次元画像形成処理を実行する場合、３次元画像の代わりに、ステップＳ４で取得された複数の断面画像が遠隔端末５０００ｍに送信される。
【０２０８】
（Ｓ２１：遠隔端末がデータを受信）
図９Ｃを参照する。遠隔端末５０００ｍの通信部５２００は、ステップＳ１４で管理サーバ４０００が送信したデータを受信する。制御部５０１０は、受信されたデータを前述の記憶部に保存する。
【０２０９】
（Ｓ２２：読影を開始？）
遠隔端末５０００ｍのユーザー（例えば、医師、オプトメトリストなど）は、所望のタイミングで読影を開始する（Ｓ２２：Ｙｅｓ）。
【０２１０】
（Ｓ２３：正面画像を表示）
表示制御部５０１１は、例えば、ステップＳ２１で受信されたデータに含まれる正面画像を表示装置６０００ｍに表示させる。正面画像の表示態様は、動画表示であっても静止画表示であってもよい。なお、表示された正面画像に対する操作を行うことが可能である。例えば、正面画像の向きや表示倍率を変更することが可能である。
【０２１１】
（Ｓ２４：部分領域を指定）
ユーザーは、操作部５３００を用いて、表示された正面画像の部分領域を指定することができる。ここで、前述した参照画像や広域画像を利用してもよい。
【０２１２】
また、部分領域の指定を自動で行うようにしてもよい。例えば、角膜表面領域、角膜裏面領域、水晶体領域、硝子体領域などを指定することが可能である。この場合、指定された領域を解析部５１３０によって解析することができる。
【０２１３】
（Ｓ２５：３次元画像をレンダリング）
レンダリング部５１２０は、ステップＳ２４で指定された部分領域に基づいて３次元画像をレンダリングする。それにより、ユーザーが指定した部分領域（つまり、ユーザーが注目している関心部位の画像）を表すレンダリング画像が得られる。
【０２１４】
（Ｓ２６：レンダリング画像を表示）
表示制御部５０１１は、ステップＳ２５で取得されたレンダリング画像を表示装置６０００ｍに表示させる。
【０２１５】
表示制御部５０１１は、レンダリング画像の位置を示す位置情報を表示装置６０００に表示させることができる。この位置情報は、例えば、ステップＳ２４で指定された部分領域の位置や範囲を示す情報、又は、ステップＳ２５で形成されたレンダリング画像の位置や範囲示す情報であってよい。位置情報は、例えば、ステップＳ２３で表示が開始された正面画像や、前述した参照画像又は広域画像や、眼のシェーマ図などとともに表示されてよい。典型的には、このような画像又はシェーマ図における位置や範囲を示す画像を位置情報として表示することができる。
【０２１６】
（Ｓ２７：読影を終了？）
ユーザーは、関心部位を任意に変更しながら読影を行うことができる（Ｓ２７：Ｎｏ）。その際、ステップＳ１で入力された背景情報や、ステップＳ２３で表示が開始された正面画像を参照することができる。
【０２１７】
（Ｓ２８：レポートを作成）
読影を行いつつ又は読影が終了したら（Ｓ２７：Ｙｅｓ）、ユーザーは、操作部５３００を使用して、読影で得た情報や診断結果などを入力する。レポート作成制御部５０１２は、ユーザーが入力した情報やユーザーが選択した情報に基づきレポートを作成する。
【０２１８】
（Ｓ２９：管理サーバにレポートを送信）
遠隔端末５０００ｍの制御部５０１０は、通信部５２００を制御して、ステップＳ２８で作成されたレポートを管理サーバ４０００に向けて送信する。
【０２１９】
（Ｓ３１：管理サーバがレポートを受信）
図９Ｄを参照する。管理サーバ４０００の通信部４２００は、ステップＳ２９で遠隔端末５０００ｍが送信したレポートを受信する。
【０２２０】
（Ｓ３２：レポートを保存）
制御部４０１０は、ハードディスクドライブ又はソリッドステートドライブ等の記憶装置、又は、外部のデータベースなどに、ステップＳ３１で受信されたレポートを保存する。レポートは、例えば被検者ＩＤや施設ＩＤなどに基づき検索可能に格納される。
【０２２１】
（Ｓ３３：撮影を行った施設を検索）
制御部４０１０は、例えば検索ＩＤを参照することで、当該被検者の前眼部撮影を行った施設を検索する。それにより、ステップＳ３１で受信されたレポートの送信先（例えば、ネットワークアドレス）が特定される。
【０２２２】
（Ｓ３４：検索された施設にレポートを送信）
管理サーバ４０００の制御部４０１０は、通信部４２００を制御して、ステップＳ３１で受信されたレポートを、ステップＳ３３で検索された施設に向けて送信する。本例では、検索された施設に設置された端末３０００−ｎに向けてレポートが送信される。
【０２２３】
（Ｓ４１：検索された施設の端末がレポートを受信）
図９Ｅを参照する。端末３０００−ｎは、ステップＳ３４で管理サーバ４０００が送信したレポートを受信する。
【０２２４】
（Ｓ４２：レポートを表示）
端末３０００−ｎは、ステップＳ４１で受信されたレポートを、図示しない表示装置に表示させる。
【０２２５】
（Ｓ４３：レポートの内容を被検者に説明）
端末３０００−ｎのユーザーは、表示されたレポートを参照しつつ、読影結果、診断結果、治療方針、屈折矯正具の要否・選択などについて、被検者に説明を行う。以上で、本例に係る処理は終了となる。
【０２２６】
〈変形例〉
本実施形態の変形例を説明する。
【０２２７】
スリットランプ顕微鏡１のフォーカス位置を変更するための構成は、上記した合焦機構４０及び５０に限定されない。
【０２２８】
例えば、特開２０１３−２４８３７６号公報に開示された２以上の撮影部（２以上の前眼部カメラ）を利用して被検眼の２以上の画像を取得し、これら画像を解析してフォーカス位置（目標位置）を決定するように構成することが可能である。
【０２２９】
フォーカス位置を変更するための構成の他の例として、次のものがある。本例のスリットランプ顕微鏡は、撮像部と、駆動部と、合焦制御部とを含む。撮像部は、被検眼を撮影して右画像及び左画像を取得する。駆動部は、撮像部を含む光学系を少なくとも作動距離方向に駆動させる。合焦制御部は、撮像部より出力された右画像及び左画像に基づき、被検眼に対して自動的に合焦動作を行うように駆動部を制御する。
【０２３０】
〈作用・効果〉
以上に説明した実施形態の作用及び効果について説明する。
【０２３１】
本実施形態に係る眼科システム（１０００）は、スリットランプ顕微鏡（１、眼科撮影装置２０００−ｉｎ）と、３次元画像形成部（画像合成部１２０）と、レンダリング部（５１２０）と、表示制御部（５０１１）と、レポート作成部（レポート作成制御部５０１２、操作部５３００）と、レポート出力部（端末３０００−ｎ）とを含む。
【０２３２】
スリットランプ顕微鏡は、正面画像取得部（前眼部カメラ７０、観察撮影系６）と、画像収集部（照明系８、観察撮影系６、合焦機構４０及び５０、移動機構６０）とを含む。正面画像取得部は、被検眼（Ｅ）の前眼部を撮影して正面画像を取得する。画像収集部は、スリット光で前眼部を撮影して複数の画像（複数の断面画像）を収集する。
【０２３３】
３次元画像形成部は、スリットランプ顕微鏡の画像収集部により収集された複数の画像に基づいて３次元画像を形成する。本実施形態ではスリットランプ顕微鏡に３次元画像形成部が設けられているが、３次元画像形成部は他の装置に設けられていてもよい。
【０２３４】
レンダリング部は、３次元画像形成部により形成された３次元画像をレンダリングしてレンダリング画像を形成する。なお、本実施形態において、レンダリング部は、レンダリング部５１２０を少なくとも含み、部分領域特定部５１１０を更に含んでいてもよい。
【０２３５】
表示制御部は、正面画像取得部により取得された正面画像と、レンダリング部により形成されたレンダリング画像とを、表示手段（表示装置６０００ｍ）に表示させる。表示手段は、表示制御部と同じ装置（遠隔端末５０００ｍ）に設けられてもよいし、表示制御部が設けられた装置に接続された周辺機器であってもよい。
【０２３６】
レポート作成部は、表示制御部により表示手段に表示された情報（典型的には、正面画像、レンダリング画像を含む）に関するレポートを作成するためのユーザーインターフェイス（操作部５３００）を含む。
【０２３７】
レポート出力部は、レポート作成部により作成されたレポートを出力する。本実施形態では端末３０００−ｎがレポートを表示しているが、レポートの出力態様は表示には限定されず、例えば、紙媒体等への印刷、他装置への送信、記録媒体への記録などであってもよい。
【０２３８】
このように構成された本実施形態の眼科システムによれば、スリットランプ顕微鏡を用いて前眼部の３次元画像及び正面画像を取得し、３次元画像を任意にレンダリングしながらレポートを作成することができる。したがって、医師やオプトメトリストは、スリットランプ顕微鏡を用いて取得された３次元画像を自由にレンダリングしながら前眼部の所望の関心部位を観察しつつレポート作成を行うことが可能である。
【０２３９】
それにより、前眼部の画像を取得するために医師やオプトメトリストが遠隔地からリアルタイムで操作を行う必要がなくなる。しかも、眼科画像診断において最も広く且つ頻繁に用いられるスリットランプ顕微鏡で取得された画像を遠隔地において読影できるというメリットもある。更に、遠隔地にて作成されたレポートを、撮影を行った施設や被検者に迅速に提供することが可能になる。
【０２４０】
したがって、本実施形態の眼科システムによれば、スリットランプ顕微鏡を効果的に利用することが可能な眼科遠隔医療技術を提供できる。
【０２４１】
本実施形態の眼科システムは、通信路（１１００）を介してスリットランプ顕微鏡に接続されたサーバ（４０００）と、通信路（１１００）を介してサーバに接続された情報処理装置（遠隔端末５０００ｍ）とを含む。
【０２４２】
サーバは、記憶部（制御部４０１０内のハードディスクドライブ、ソリッドステートドライブ等の記憶装置）と、通信部（４２００）とを含む。記憶部は、予め設定された被検者識別情報（被検者ＩＤ）に関連付けられた３次元画像と正面画像とを記憶する。なお、本実施形態のように、施設識別情報（施設ＩＤ）を更に関連付けることが可能である。通信部は、少なくとも３次元画像と正面画像とを情報処理装置に送信する。
【０２４３】
情報処理装置は、通信部（５２００）と、レンダリング部（５１２０）と、表示制御部（５０１１）と、レポート作成部（レポート作成制御部５０１２、操作部５３００）とを含む。
【０２４４】
情報処理装置の通信部は、サーバから送信された少なくとも３次元画像及び正面画像を受信する。更に、情報処理装置の通信部は、レポート作成部により作成されたレポートをサーバに向けて送信する。
【０２４５】
サーバの通信部は、情報処理装置から送信されたレポートを受信する。更に、サーバの通信部は、このレポートの少なくとも一部を、被検眼の撮影を行ったスリットランプ顕微鏡が設置された施設に向けて送信する。レポート出力部は、被検眼の撮影を行ったスリットランプ顕微鏡が設置された施設に配置されている。本例では、スリットランプ顕微鏡１が設置された施設内の端末３０００−ｎに向けてレポートを送信しているが、スリットランプ顕微鏡１又は他の装置にレポートを送信するようにしてもよい。
【０２４６】
この構成によれば、スリットランプ顕微鏡が設置された施設から離れた位置に配置された情報処理装置を利用して眼科遠隔医療を効果的に提供することが可能である。
【０２４７】
本実施形態において、レンダリング部は、前眼部の３次元画像中の角膜表面領域及び角膜裏面領域の少なくとも一方を特定するように構成されていてよい。
【０２４８】
この構成によれば、前眼部における典型的な注目部位である角膜の状態を容易に観察したり解析したりすることが可能となる。
【０２４９】
本実施形態において、レンダリング部は、少なくとも角膜表面領域を特定するように構成されていてよい。更に、本実施形態の眼科システムは、特定された角膜表面領域を解析して角膜曲率半径を求める第１解析部（解析部５１３０）を更に含んでいてよい。加えて、レポート作成部は、求められた角膜曲率半径及びこれに基づく情報（例えば、コンタクトレンズの型番など）の少なくとも一方を含むレポートを作成するように構成されていてよい。
【０２５０】
この構成によれば、例えばコンタクトレンズの処方などにおける典型的な注目パラメータである角膜曲率半径を容易に求めることができる。更に、角膜曲率半径が記載されたレポートを容易且つ迅速に提供することが可能になる。
【０２５１】
本実施形態において、レンダリング部は、少なくとも角膜表面領域を特定するように構成されていてよい。更に、本実施形態の眼科システムは、第２解析部（解析部５１３０）を更に含んでいてよい。第２解析部は、レンダリング部により特定された角膜表面領域を解析して角膜曲率半径分布を求め、予め設定された標準分布からの角膜曲率半径分布の偏差を表す偏差分布を求めるように構成される。加えて、レポート作成部は、求められた偏差分布及びこれに基づく情報の少なくとも一方を含むレポートを作成するように構成されていてよい。
【０２５２】
この構成によれば、例えばコンタクトレンズの処方などにおける典型的な注目パラメータである角膜曲率半径分布を表す情報を容易に求めることができる。更に、角膜曲率半径分布を表す情報が記載されたレポートを容易且つ迅速に提供することが可能になる。
【０２５３】
本実施形態において、表示制御部は、第２解析部により求められた偏差分布を表示手段に表示させるように構成されていてよい。
【０２５４】
この構成によれば、レポート作成者（医師、オプトメトリストなど）は、被検眼の前眼部の正面画像やレンダリング画像に加えて、角膜曲率半径分布の偏差分布を参照しながらレポートを作成することが可能となる。
【０２５５】
本実施形態の眼科システムは、前眼部の正面画像と３次元画像との間のレジストレーションを行うレジストレーション部（５１０５）を更に含んでいてよい。更に、本実施形態において、正面画像中の注目領域（例えば、断面、３次元領域など）を指定するためにユーザーインターフェイスを使用することができる。加えて、レンダリング部は、指定された注目領域に対応する３次元画像の部分領域を、レジストレーションの結果に基づき特定することができる。更にレンダリング部は、特定された部分領域に対応するレンダリング画像（例えば、スライス画像、シャインプルーフ画像、ボリュームレンダリング画像など）を形成することができる。
【０２５６】
この構成によれば、レポート作成者は、前眼部の注目部位を容易に指定することができる。つまり、レポート作成者は、レンダリングを適用したい箇所を容易に指定することが可能である。
【０２５７】
本実施形態において、表示制御部は、レンダリング部により特定された３次元画像中の部分領域に対応するレンダリング画像と正面画像とを、表示手段に表示させることができる。更に、表示制御部は、このレンダリング画像に対応する領域を表す画像を正面画像上に表示させることができる。
【０２５８】
この構成によれば、レポート作成者は、正面画像中のどの部位がレンダリング画像として表示されているかを容易に把握することが可能である。
【０２５９】
本実施形態において、レンダリング部は、前眼部の３次元画像から立体画像を形成することができる。更に、表示制御部は、形成された立体画像を表示手段に表示させることができる。加えて、表示手段に表示されている立体画像を操作（例えば、回転、拡大/縮小など）するためにユーザーインターフェイスを使用することが可能である。
【０２６０】
この構成によれば、レポート作成者は、前眼部を立体的に観察することができ、更に、立体画像を任意に操作しながら詳細な観察を行うことが可能である。
【０２６１】
本実施形態において、レンダリング部は、前眼部の３次元画像中の水晶体領域を特定することができる。更に、本実施形態の眼科システムは、特定された水晶体領域を解析して混濁分布を求める第３解析部（解析部５１３０）を更に含んでいてよい。加えて、レポート作成部は、求められた混濁分布及びこれに基づく情報の少なくとも一方を含むレポートを作成することができる。
【０２６２】
この構成によれば、例えば白内障眼の診断における典型的な注目部位である水晶体混濁の分布を容易に求めることができる。更に、水晶体混濁分布を表す情報が記載されたレポートを容易且つ迅速に提供することが可能になる。
【０２６３】
本実施形態において、表示制御部は、第３解析部により求められた混濁分布を表示手段に表示させるように構成されていてよい。
【０２６４】
この構成によれば、レポート作成者（医師、オプトメトリストなど）は、被検眼の前眼部の正面画像やレンダリング画像に加えて、水晶体混濁分布を参照しながらレポートを作成することが可能となる。
【０２６５】
本実施形態において、スリットランプ顕微鏡の画像収集部は、照明系（８）と、撮影系（観察撮影系６）と、移動部（移動機構６０）とを含んでいてよい。照明系は、被検眼をスリット光で照明する。撮影系は、被検眼からのスリット光の戻り光を第１撮像装置（１３）に導く。移動部は、照明系及び撮影系を移動する。更に、３次元画像形成部は、照明系及び撮影系を移動しつつ第１撮像装置により取得された複数の断面画像に基づいて３次元画像を形成するように構成されていてよい。
【０２６６】
このような構成によれば、前眼部に対する照明角度及び撮影角度を変更しつつ被検眼の複数の断面の画像を取得し、これら断面画像から３次元画像を形成することができる。
【０２６７】
本実施形態において、スリットランプ顕微鏡の画像収集部は、フォーカス位置変更部（合焦機構４０、合焦機構５０）を含んでいてよい。フォーカス位置変更部は、照明系のフォーカス位置及び撮影系のフォーカス位置の少なくとも一方を変更する。更に、３次元画像形成部は、照明系及び撮影系の少なくとも一方の移動と照明系のフォーカス位置及び撮影系のフォーカス位置の少なくとも一方の変更とを行いつつ第１撮像装置により取得された複数の断面画像に基づいて３次元画像を形成することができる。
【０２６８】
このような構成によれば、前眼部に対するフォーカス位置を変更しつつ複数回の撮影を行うことができ、それにより得られた複数の断面画像から３次元画像を形成することができる。
【０２６９】
本実施形態の眼科システムは、スリットランプ顕微鏡の動作モードを指定するための動作モード指定部を更に含んでいてよい。動作モード指定部は、例えば、遠隔端末５０００ｍの操作部５３００、スリットランプ顕微鏡１の操作部１４０、端末３０００−ｎ、又は、他の装置を含んでいてよい。更に、スリットランプ顕微鏡は、制御部（１０１）を含んでいてよい。動作モード指定部により３次元撮影モードが指定されたとき、スリットランプ顕微鏡の制御部は、照明系と撮影系と移動部とフォーカス位置変更部とを連係的に制御することにより複数の断面画像を第１撮像装置に取得させるように構成されていてよい。
【０２７０】
このような構成によれば、前眼部の３次元画像を形成するための複数の断面画像の収集を自動で行うことが可能になる。
【０２７１】
本実施形態において、正面画像取得部は、画像収集部に設けられた第１撮像装置と異なる第２撮像装置（前眼部カメラ７０）を含んでいてよい。
【０２７２】
このような構成によれば、前眼部の３次元画像を取得するために（つまり、スキャンを行うために）画像収集部が移動しても、一定の位置から前眼部を撮影することが可能となる。
【０２７３】
なお、正面画像取得部は、画像収集部に設けられた第１撮像装置を用いて前眼部の正面画像を取得するように構成されていてもよい。この場合、典型的には、画像収集部によるスキャンとは別のタイミングで正面画像の取得が行われる。
【０２７４】
本実施形態において、画像収集部に設けられた第１撮像装置による複数の断面画像の収集と並行して、正面画像取得部の第２撮像装置は前眼部の動画撮影を行うことができる。
【０２７５】
これにより、画像収集部によってスキャンを行っている間も前眼部の状態を観察することが可能となる。
【０２７６】
本実施形態に係る眼科情報処理装置（遠隔端末５０００ｍ）は、通信部（５２００）と、レンダリング部（５１２０）と、表示制御部（５０１１）と、レポート作成部（レポート作成制御部５０１２、操作部５３００）とを含む。
【０２７７】
眼科情報処理装置の通信部は、スリットランプ顕微鏡（１、眼科撮影装置２０００−ｉｎ）で被検眼の前眼部を撮影して取得された３次元画像及び正面画像を通信路（１１００）を介して受け付ける。眼科情報処理装置のレンダリング部は、通信部により受け付けられた３次元画像をレンダリングしてレンダリング画像を形成する。眼科情報処理装置の表示制御部は、通信部により受け付けられた正面画像とレンダリング部により形成されたレンダリング画像とを表示手段（表示装置６０００ｍ）に表示させる。レポート作成部は、表示制御部により表示された情報に関するレポートを作成するためのユーザーインターフェイス（操作部５３００）を含む。眼科情報処理装置の通信部は、作成されたレポートを送信する。レポートの最終的な送信先は、当該被検眼の撮影が行われた施設である。
【０２７８】
このような眼科情報処理装置によれば、本実施形態の眼科システムと同様に、スリットランプ顕微鏡を効果的に利用することが可能な眼科遠隔医療技術を提供することが可能である。
【０２７９】
本実施形態に係る処理をコンピュータに実行させるプログラムを構成することが可能である。このプログラムは、以下のステップをコンピュータに実行させるように構成される：スリットランプ顕微鏡で被検眼の前眼部を撮影して取得された３次元画像及び正面画像を通信路を介して受け付けるステップ；受け付けられた３次元画像をレンダリングしてレンダリング画像を形成するステップ；受け付けられた正面画像と、形成されたレンダリング画像とを表示するステップ；ユーザーからの入力を受け付けるステップ；表示された情報に関するレポートをユーザーからの入力に基づき作成するステップ；レポートを送信するステップ。
【０２８０】
このようなプログラムによれば、本実施形態の眼科システムと同様に、スリットランプ顕微鏡を効果的に利用することが可能な眼科遠隔医療技術を提供することが可能である。
【０２８１】
このようなプログラムを記録したコンピュータ可読な非一時的記録媒体を作成することが可能である。この非一時的記録媒体は任意の形態であってよく、その例として、磁気ディスク、光ディスク、光磁気ディスク、半導体メモリなどがある。
【０２８２】
このようなプログラム又は記録媒体に対して、例示的な実施形態において説明された様々な処理のいずれかを適用することが可能である。
【０２８３】
以上に説明した実施形態は本発明の典型的な例示に過ぎない。よって、本発明の要旨の範囲内における任意の変形（省略、置換、付加等）を適宜に施すことが可能である。
【符号の説明】
【０２８４】
１  スリットランプ顕微鏡
６  観察撮影系
８  照明系
１３  撮像装置
４０  合焦機構
５０  合焦機構
６０  移動機構
７０  前眼部カメラ
１０１  制御部
１２０  画像合成部
１４０  操作部
１５０  合焦位置検出部
１６０  スキャン位置検出部
１７０  通信部
１０００  眼科システム
２０００−ｉｎ  眼科撮影装置
４０００  管理サーバ
４０１０  制御部
４０２０  通信部
５０００ｍ  遠隔端末
５０１０  制御部
５０１１  表示制御部
５０１２  レポート作成制御部
５１００  データ処理部
５１０５  レジストレーション部
５１１０  部分領域指定部
５１２０  レンダリング部
５１３０  解析部
５２００  通信部
５３００  操作部
６０００ｍ  表示装置
【図１】
2019154825.tif 000003
【図２】
2019154825.tif 000004
【図３】
2019154825.tif 000005
【図４】
2019154825.tif 000006
【図５】
2019154825.tif 000007
【図６】
2019154825.tif 000008
【図７】
2019154825.tif 000009
【図８】
2019154825.tif 000010
【図９Ａ】
2019154825.tif 000011
【図９Ｂ】
2019154825.tif 000012
【図９Ｃ】
2019154825.tif 000013
【図９Ｄ】
2019154825.tif 000014
【図９Ｅ】
2019154825.tif 000015